(57)【要約】【構成】本発明は電子デバイスに関し、当該電子デバイスは、データ（１９）を格納するためのメモリ（１６）と、データ（１９）を処理するためのプロセッサ手段（２１）と、読み取りデバイス（１３．１、１３．２）を用いて読み取るデータ（１９）を含む機械読み取り可能なコード（１２）を表示するための出力デバイス（１４、１４’）と、を含む。前記電子デバイス（４０）は、さらに、１つ以上の外部デバイス（３０）とのデータ伝送リンク（４２）を形成するためのデータ伝送インタフェース（４３）を含み、前記電子デバイス（４０）は、前記外部デバイス（３０）に配置され、ユーザインタフェースとして動作する。さらに、本発明は、データ伝送システムにも関する。【選択図】図３ｄ
2021524110.tif 000002
【特許請求の範囲】
【請求項１】
データ（１９）を格納するためのメモリ（１６）と、
データ（１９）を処理するためのプロセッサ手段（２１）と、
読み取りデバイス（１３．１、１３．２）を用いて読み取るデータ（１９）を含む機械読み取り可能なコード（１２）を表示するための出力デバイス（１４、１４’）と、を含む電子デバイスであり、
前記電子デバイス（４０）は、さらに、１つ以上の外部デバイス（３０）とのデータ伝送リンク（４２）を形成するためのデータ伝送インタフェース（４３）を含み、
前記電子デバイス（４０）は、前記外部デバイスに配置され、ユーザインタフェースとして動作する、
ことを特徴とする、電子デバイス。
【請求項２】
前記データ伝送インタフェース（４３）は無線であって、
アンテナ配列（４４）と、
前記外部デバイス（３０）との無線データ伝送リンク（４２）を形成するように構成された少なくとも１つのコントローラ（４５）と、を含む、
請求項１に記載の電子デバイス。
【請求項３】
前記データ伝送インタフェース（４３）は、前記電子デバイス（４０）と少なくとも１つの外部デバイス（３０）との間に双方向データ伝送リンク（４２）を形成するように構成される、
請求項１または請求項２に記載の電子デバイス。
【請求項４】
前記データ伝送インタフェース（４３）を介して前記外部デバイス（３０）に対して形成される前記データ伝送リンク（４２）は、
前記外部デバイス（３０）からデータ（１９）を取得すること、
前記外部デバイス（３０）を励起すること、
前記外部デバイス（３０）のクロックを同期させること、
前記外部デバイス（３０）の設定を行うおよび／または変更すること、および
前記外部デバイス（３０）にデータを送信すること、のうちの１つ以上を行うように構成される、
請求項３に記載の電子デバイス。
【請求項５】
受信手段（２７’）は、前記読み取りデバイス（１３．１、１３．２）から前記外部デバイス（３０）への前記双方向データ伝送のために前記電子デバイス（４０）に関連付けて配置される、
請求項３または請求項４に記載の電子デバイス。
【請求項６】
前記電子デバイス（４０）は、前記読み取りデバイス（１３．１、１３．２）から前記電子デバイス（４０）に供給されるコンテンツ（３４）を検出し、
前記外部デバイス（３０）の設定および／またはデータを前記コンテンツ（３４）から復号する（６０９）ように構成される、
請求項４または５に記載の電子デバイス。
【請求項７】
前記電子デバイス（４０）は、さらに、データ伝送リンク（４２）を形成する１つ以上の外部デバイス（３０）を前記電子デバイス（４０）に接続するクイックリリース手段（４１）を含む、
請求項１から６のいずれか一項に記載の電子デバイス。
【請求項８】
前記クイックリリース手段（４１）は、前記電子デバイス（４０）のアンテナ配列（４４）に関連付けて配置される、
請求項７に記載の電子デバイス。
【請求項９】
前記クイックリリース手段（４１）は、前記電子デバイス（４０）に取り付けられる接着面（４６）、または形状係止コネクタ構成を実装するように構成された箇所（５５）を含む、
請求項７または８に記載の電子デバイス。
【請求項１０】
前記無線データ伝送インタフェース（４３）は、誘導または容量結合を用いて実装される、
請求項２から９のいずれか一項に記載の電子デバイス。
【請求項１１】
前記データ伝送インタフェース（４３）は、前記外部デバイス（３０）に電力を供給するように構成される、
請求項１から１０のいずれか一項に記載の電子デバイス。
【請求項１２】
前記データ伝送インタフェース（４３）は、前記電子デバイス（４０）が前記外部デバイス（３０）から電力を受けるように構成される、
請求項１から１１のいずれか一項に記載の電子デバイス。
【請求項１３】
前記データ伝送インタフェース（４３）は、誘導結合を用いて実装され、
前記コントローラ（４５）は、好ましくはＮＦＣコントローラ（４５’）である、
請求項２から１２のいずれか一項に記載の電子デバイス。
【請求項１４】
前記出力デバイス（１４、１４’）は、好ましくは１つ以上のバッチでプリントアウト可能なダイナミック電子ペーパーディスプレイまたはシングルユース手段である、
請求項１から１３のいずれか一項に記載の電子デバイス。
【請求項１５】
前記電子デバイス（４０）は、例えば、シングルユースの符号化キー（６２）を用いるＸＯＲ符号化方法などの低電力符号化方法を用いてデータ（１９）を符号化するように構成される、
請求項１から１４のいずれか一項に記載の電子デバイス。
【請求項１６】
１つ以上の電子デバイス（４０）を含むデータ伝送システムであり、前記電子デバイス（４０）は、
データ（１９）用に配置されたメモリ（１６）と、
前記データ（１９）を処理するためのプロセッサ手段（２１）と、
前記データ（１９）を含むおよび／または前記データ（１９）から形成された機械読み取り可能なコード（１２）を、前記読み取りデバイス（１３．１、１３．２）を用いて読み取るために表示する出力デバイス（１４、１４’）と、
前記読み取りデバイス（１３．１、１３．２）とのデータ伝送用に構成されたサーバ構成（１１）とを含み、
前記電子デバイス（４０）は、オブジェクト（２０．１、２０．２）に関連付けて配置することができ、
１つ以上の前記電子デバイス（４０）は、システム（１０）内に配置することができ、
少なくとも１つの前記電子デバイス（４０）は、請求項１〜１５の一項または複数項に記載の前記電子デバイス（４０）であり、
前記システム（１０）は、さらに、前記オブジェクト（２０．１、２０．２）を構成する、または前記オブジェクト（２０．１、２０．２）内に配置可能な、少なくとも１つの外部デバイス（３０）を含み、
前記電子デバイス（４０）は、前記外部デバイス（３０）を介して、前記オブジェクト（２０．１、２０．２）とのデータ伝送リンク（４２）に配置される、
ことを特徴とする、データ伝送システム。
【請求項１７】
前記サーバ構成（１１）のアドレス（６７）は機械読み取り可能なコード（１２）内に配置される、
請求項１６に記載のシステム。
【請求項１８】
サーバシステム（１１）と前記外部デバイス（３０）との間に双方向のデータ伝送が設定され、読み取りデバイス（１３．１、１３．２）と前記電子デバイス（４０）とを介して行われる、
請求項１６または１７に記載のシステム。
【請求項１９】
例えば、前記外部デバイス（３０）のオペレーションの制御に関するデータが、読み取りデバイス（１３．１、１３．２）と前記電子デバイス（４０）とを介して、前記サーバシステム（１１）から前記外部デバイス（３０）に送信されるように構成され、
前記オブジェクト（２０．１、２０．２）および／または前記外部デバイス（３０）からデータ（１９）を取得する要求、
前記オブジェクト（２０．１、２０．２）および／または前記外部デバイス（３０）の励起、
前記オブジェクト（２０．１、２０．２）および／または前記外部デバイス（３０）のクロックの同期、
前記オブジェクト（２０．２）および／または前記外部デバイス（３０）の設定のスタートアップおよび／または変更に関連付けられた、前記オブジェクト（２０．２）および／または前記外部デバイス（３０）の設定、および
データ、のうちの１つ以上が前記サーバ構成（１１）から前記外部デバイス（３０）に送信されるように構成される、
請求項１８に記載のシステム。
【請求項２０】
前記オブジェクト（２０．１、２０．２）および／または前記外部デバイス（３０）に関する設定を行うために前記オブジェクト（２０．１、２０．２）および／または前記外部デバイス（３０）にデータ伝送を行う場合、前記サーバシステム（１１）は、例えば、設定などの前記データが符号化された、前記読み取りデバイス（１３．１、１３．２）上に表示するウェブコンテンツ（３４）を形成する（６０４）ように構成され、
前記読み取りデバイス（１３．１、１３．２）は、前記サーバ構成（１１）から前記ウェブコンテンツ（３４）を受信（６０７）し、例えば、前記電子デバイス（４０）に送信する設定などのデータを表示する（６０８）ように構成され、
前記電子デバイス（４０）は、前記ウェブコンテンツ（３４）を検出し、例えば、設定などの前記データを前記ウェブコンテンツ（３４）から復号する（６０９）ように構成され、
前記電子デバイス（４０）は、例えば、前記オブジェクト（２０．１、２０．２）および／または前記外部デバイス（３０）のモニタリングおよび／または制御のために、例えば、設定などの前記データを前記外部デバイス（３０）に送信するように構成される、
請求項１８または１９に記載のシステム。
【請求項２１】
前記サーバ構成（１１）から前記外部デバイス（３０）および／またはオブジェクト（２０．１、２０．２）へ前記データ伝送が行われる前に、例えば、１つ以上のオブジェクト（２０．１、２０．２）および／または前記外部デバイス（３０）を、前記読み取りデバイス（１３．１、１３．２）および電子デバイス（４０）を介して、前記サーバ構成（１１）を用いて制御するために、例えば、前記オブジェクト（２０．１、２０．２）および／または前記外部デバイス（３０）の設定などに関する前記送信するデータが、前記読み取りデバイス（１３．１、１３．２）によって、前記サーバ構成（１１）に対して、好ましくは前記サーバ構成（１１）によって生成されたウェブページを介して、少なくとも１回決定される（６０３）ように構成される、
請求項１９または２０に記載のシステム。
【請求項２２】
例えば、前記オブジェクト（２０．１、２０．２）および／または前記外部デバイス（３０）の制御を行うために、受信手段（２７’）が、前記サーバ構成（１１）から前記オブジェクト（２０．１、２０．２）へ前記読み取りデバイス（１３．１、１３．２）と前記電子デバイス（４０）とを介してデータ伝送を行う前記電子デバイス（４０）に関連付けて配置され、
前記データ伝送を、例えば、前記読み取りデバイス（１３．１、１３．２）を用いて、前記電子デバイス（４０）を介して行う制御に関して行うために、データ供給手段（３２”）が、前記読み取りデバイス（１３．１、１３．２）に関連付けて配置される、
請求項１８から２１のいずれか一項に記載のシステム。
【請求項２３】
例えば、前記読み取りデバイス（１３．１、１３．２）のディスプレイ（３２）などの、光を生成するように構成された要素（３２＊）が、前記読み取りデバイス（１３．１、１３．２）のデータ伝送手段（３２’’）として動作するように構成される、
請求項２２に記載のシステム。
【請求項２４】
前記外部デバイス（３０）および／またはオブジェクト（２０．１、２０．２）からデータ（１９）を取得するなどのデータ伝送を行う要求が、前記読み取りデバイス（１３．１、１３．２）によって読み取られたコード（１２）と、前記コード（１２）に基づいて行われた送信とに応答して形成および送信される、
請求項１８から２３のいずれか一項に記載のシステム。
【請求項２５】
前記サーバ構成（１１）は、例えば、前記外部デバイス（３０）および／またはオブジェクト（２０．１、２０．２）からデータ（１９）を取得するなどのデータ伝送を行う必要性を、前記読み取りデバイス（１３．１、１３．２）によって読み取られたコード（１２）に基づいて判断するように構成される、
請求項１８から２４のいずれか一項に記載のシステム。
【請求項２６】
読み取りデバイス（１３．１、１３．２）は、モバイルデバイス、データ伝送手段を備えたカメラ、ＡＲまたはＶＲグラスのうち１つ以上を構成する、
請求項１６から２５のいずれか一項に記載のシステム。
【請求項２７】
前記読み取りデバイス（１３．１、１３．２）の少なくとも一部はデータ形成手段（３２’）を備え、
前記オブジェクト（２０．１、２０．２）に関する、例えば、前記読み取りデバイス（１３．１、１３．２）のデータ形成手段（３２’）上に表示されるコンテキストデータ（３３）の少なくとも一部は、好ましくは、前記読み取りデバイス（１３．１、１３．２）によって読み取られたコード（１２）または前記コード（１２）から処理されたデータに基づいて、サーバ構成（１１）によって形成され、前記双方向データ伝送を構成して、前記サーバ構成（１１）から前記読み取りデバイス（１３．１、１３．２）、前記外部デバイス（３０）および／または前記オブジェクト（２０．１、２０．２）に送信されるように設定される、
請求項１８から２６のいずれか一項に記載のシステム。
【請求項２８】
前記外部デバイス（３０）および／または前記オブジェクト（２０．１、２０．２）に対する前記読み取りデバイス（１３．１、１３．２）のユーザ（２９）の存在を認証するために、前記サーバ構成（１１）は、認証ＩＤが符号化された、前記読み取りデバイス（１３．１、１３．２）上に表示されるウェブコンテンツを形成するように構成され、
前記読み取りデバイス（１３．１、１３．２）は、前記サーバ構成（１１）から前記ウェブコンテンツを受信し、前記ウェブコンテンツを示して前記電子デバイス（４０）に認証ＩＤを与えるように構成され、
前記電子デバイス（４０）は、前記ウェブコンテンツを検出し、前記ウェブコンテンツから前記認証ＩＤを復号（６０９）するように構成され、
前記電子デバイス（４０）は、前記認証ＩＤに基づいて前記コード（１２）を更新し、前記出力デバイス（１４、１４’）上に表示するように構成され、
前記読み取りデバイス（１３．１、１３．２）は、前記コード（１２）を読み取り、前記コード（１２）内に配置されたデータを前記サーバ構成（１１）に送信するように構成され、
前記サーバ構成（１１）は、前記外部デバイス（３０）および／または前記オブジェクト（２０．１、２０．２）に対する前記ユーザ（２９）の存在を前記データに基づいて認証するように構成される、
請求項１６から２７のいずれか一項に記載のシステム。
【請求項２９】
前記外部デバイス（３０）および／または前記外部デバイス（３０）に接続されたオブジェクト（２０．１、２０．２）をモニタリングするための、
請求項１から１５のいずれか一項に記載の電子デバイス（４０）の使用。
【請求項３０】
前記外部デバイス（３０）および／または前記外部デバイス（３０）に接続されたオブジェクト（２０．１、２０．２）のユーザインタフェースとしての、
請求項１から１５のいずれか一項に記載の電子デバイス（４０）の使用。
【請求項３１】
前記外部デバイス（３０）および／または前記外部デバイス（３０）に接続されたオブジェクト（２０．１、２０．２）をモニタリングするための、
請求項１６から２８のいずれか一項に記載のシステム（１０）の使用。
【請求項３２】
前記外部デバイス（３０）および／または前記外部デバイス（３０）に接続されたオブジェクト（２０．１、２０．２）のユーザインタフェースとしての、
請求項１６から２８のいずれか一項に記載のデータ伝送システム（１０）の使用。
【発明の詳細な説明】
【技術分野】
【０００１】
本発明は、データを格納するためのメモリ、データを処理するためのプロセッサ手段、および読み取りデバイスを用いて読み取るデータを含む機械読み取り可能なコードを表示するための出力デバイスを含む電子デバイスに関する。さらに、本発明は、データ伝送システムに関する。
【背景技術】
【０００２】
ダイナミック（動的）ＱＲコード、より一般的にはダイナミックコード、を利用したモニタリングソリューションは、国際公開第ＷＯ２０１３／０４６２３１Ａ１号により既知である。当該文献では、モニタリング中のオブジェクトの状態が変化すると、ＱＲコードも、当該状態に応じて更新される。言い換えると、オブジェクトの状態データを、サーバのＵＲＬアドレスに含まれるＱＲコードに含むことができる。ＱＲコードは、例えば、モバイルデバイスのカメラやＱＲコードリーダアプリケーションを利用する既知の方法で読み取ることができる。当該読み取りに基づいて、ＱＲコードで特定されたサーバにサービス要求が送信され、当該ＱＲコードに含まれるオブジェクトの状態データおよび測定データも、同一のサービス要求を利用して送信される。
【０００３】
さらに、上述の種類の第２のソリューションも、米国特許出願公開第２０１７／０２７０２４９Ａ１号明細書から既知である。当該文献には、ＵＲＬアドレスに埋め込まれたデータを、ダイナミックＱＲコードを利用して移動させて、医療機器に利用することが開示されている。
【０００４】
ＱＲコードも使用する上述の測定ソリューションは、製造業者ごとに固有の部分が大きい。このため、関連するアプリケーションの可能性が制限されるのみならず、固定化されてしまう恐れがある。ＱＲコードを備えた測定システムの設計と実装には、最初から、比較的多額の費用がかかる。そのような実装に対するしきい値は、特に非常に限定されたアプリケーションおよび／またはシンプルなアプリケーションの場合には、実現が困難となる。言い換えると、実装の拡張性が低下する。
【０００５】
一方で、既知のソリューションは、多数のデバイスの制御性の可否の点において不満を多く残している。これらのユーザインタフェースの実装も、比較的大きな投資を別個必要とする可能性がある。その結果、ユーザインタフェースは大幅に簡素化される。一方で、デバイスには多くの設定があり、変更が可能である。デバイスのさまざまな機能を制御するために、簡素化されたユーザインタフェースを介して設定の変更を行うことは、手順が非常に複雑になる可能性があり、そして、ユーザは、多くを学習する必要がある。非常に簡素化されたユーザインタフェースを介してデバイスの多くの設定を変更しようとすると、エラーが発生する可能性も高くなる。
【先行技術文献】
【特許文献】
【０００６】
【特許文献１】国際公開第ＷＯ２０１３／０４６２３１Ａ１号
【特許文献２】米国特許出願公開第２０１７／０２７０２４９Ａ１号明細書
【発明の概要】
【０００７】
本発明は、拡張性が向上した電子デバイスおよびシステムを創出することを目的としている。本発明に係る電子デバイスおよびシステムの特徴は、添付の請求項１および１６に記載の通りである。
【０００８】
本発明によれば、例えば、異なるセンサ製造業者によるエコシステムを電子デバイスの周辺に構築することが可能になる。機械読み取り可能なコード用の出力デバイスを備えた電子デバイスは、本発明において、外部デバイスに対するユーザインタフェースとして用いることができる。すなわち、外部デバイスおよび／またはそれに関連付けられたオブジェクトに対するデータ伝送を、電子デバイスを介して行うことができる。また、本発明によれば、例えば基本的なプロパティやユーザインタフェースについての要求がより軽い外部デバイスにデータ伝送サービスを提供することも可能になる。そして、外部デバイスの制御／機能は、電子デバイスによって可能となるシンプルなデータ伝送インタフェースを用いて多様化を図ることができる。さらに、本発明によれば、外部デバイスへの双方向データ伝送リンクも提供することができる。これにより、例えばサーバシステムから外部デバイスおよび／またはオブジェクトへのデータ伝送も可能になるため、これに関連する機能やプロパティはこれまで以上に多様化する。このプロパティにより、外部デバイスから収集されたデータを、例えば、クラウドサービスのインタフェースから取得することができる。さらに、例えば、任意のウェブウィンドウから外部デバイス内の新しい設定をプログラミングすることが、より一般的には、データを転送することが、可能になる。本発明の他の特徴は、添付の特許請求の範囲から明らかであり、得られる追加の利点は、明細書部分において説明する。
【図面の簡単な説明】
【０００９】
以下の説明において、本発明は以下に示す実施形態に限定されず、添付の図面を参照してより詳細に説明する。
【００１０】
【図１】例えば、オブジェクトをモニタリングおよび／または制御するためのデータ伝送システムの一例を簡略化して示す概略図である。
【図２】電子デバイスの一例を簡略化して示す概略ブロック図である。
【図３ａ−３ｃ】オブジェクト内に配置される外部デバイスの複数の例を簡略化して示す概略ブロック図である。
【図３ｄ】本発明によって実施されるデバイスの一実施形態の例を簡略化して示す概略ブロック図である。
【図３ｅ】本発明によって実施されるデバイスの別の実施形態の例を簡略化して示す概略ブロック図である。
【図４ａ】電子デバイスの表示デバイスおよび当該デバイスによって表示されるコードを示す図表の例である。
【図４ｂ】本発明に係るデータ伝送システムのオペレーションを示す段階的なフロー図である。
【図５】データ処理を行う場合の、データ伝送システムの異なるパーツ間のシーケンス図である。
【図６】外部デバイスの設定を行う場合の、データ伝送システムの異なるパーツ間のシーケンス図である。
【図７】本発明において暗号化および復号化に用いる暗号化方法の例を示す図である。
【図８ａ−８ｃ】出力デバイスの実装に関する第２の実施形態の例を示す図である。
【図８ｄ−８ｆ】データ伝送システムの実装に関する第２の実施形態の例を示す図である。
【図９ａ】電子デバイスの第２の例を簡略化して示す概略ブロック図である。
【図９ｂ】電子デバイスを構成する電子部品の例を示す図である。
【図１０ａ−１０ｂ】低電力実装としての機械読み取り可能なコードに関する複数の例を示す図である。
【図１１】例えば図１０ａまたは１０ｂの低電力機械読み取り可能なコードを実装する方法の一例を示す図である。
【図１２ａ−１２ｂ】電子デバイスおよび外部デバイスの相互の取り付けを簡略化して示す概略図である。
【発明を実施するための形態】
【００１１】
図１は、データ伝送システム１０の一例を簡略化して示す概略図である。システム１０の基本的な構成要素は、サーバ構成１１と、１つ以上のオブジェクト２０．１、２０．２に配置された、または配置される、１つ以上の電子デバイス４０と、を含む。
【００１２】
オブジェクト２０．１、２０．２は、モニタリングオブジェクトのオブジェクト２０．１および／または制御対象のオブジェクト２０．２であってもよい。オブジェクト２０．１、２０．２は、静止または移動することができる。このコンテキストでは、モニタリングオブジェクトのオブジェクト２０．１は、例えば、１つ以上の変数が測定されるオブジェクトを指してもよい。当該測定によって、オブジェクト２０．１のモニタリングが行われる。静止モニタリングオブジェクト２０．１の個別の一例として、例えば、湿気および／または温度を測定および格納する構築物が挙げられる。移動性のモニタリングオブジェクト２０．２の個別の例としては、冷蔵輸送装置およびこれに用いる輸送ユニットが挙げられる。この中で、輸送装置、さらに対応の個々の製品パッケージについても、コールドチェーン全体を通して温度を測定して格納することができる。
【００１３】
一方で、制御可能なオブジェクト２０．２は、設定が変更可能であることを特徴とする。例えば、オブジェクト２０．２を起動する際、および／またはそのライフサイクル中に、設定を変更することができる。さらに、モニタリングオブジェクト２０．１も制御可能である。ここでは、例えば、オブジェクトのオペレーション、またはそのモニタリングに関する測定設定のみ変更することができる。したがって、本発明によって非常に多様なアプリケーションが可能になることが考えられる。したがって、データ伝送システム１０は、例えば、オブジェクト２０．１、２０．２をモニタリングおよび／または制御するためのものであると言える。しかしながら、より一般的には、オブジェクト２０．１、２０．２とサーバ構成１１との間のデータ伝送のためのものであるとも言うこともでき、これは、オブジェクト２０．１、２０．２のモニタリングおよび制御によって表されるものでもある。
【００１４】
図１は、電子デバイス４０を、出力デバイス１４に関してのみより詳細に示す図である。出力デバイス１４は、読み取りデバイス１３．１、１３．２を用いて読み取るデータ１９を含む機械読み取り可能なコード１２を示すためのものである。すなわち、出力デバイス１４は、データ１９の出力手段として動作するように構成されており、データ１９を、電子デバイス４０から読み取り用の読み取りデバイス１３．１、１３．２に提供する。コードの代わりに、機械読み取り可能なグラフィック識別子を用いることもできる。コード１２内には、例えば、オブジェクト２０．１、２０．２に関連し、後述する方法で電子デバイス４０に利用可能であるデータが、符号化された形式で配置される。さらに、コード１２は、コード１２内の符号化データ１９を読み取った後にどこに送信すべきかに関する情報を含むこともできる。これは、例えば、サーバ構成１１のインターネットアドレス６７（図４ａ）である。
【００１５】
出力デバイス１４は、読み取り可能なデバイスやディスプレイであり、この上に、例えば、読み取り可能なコード１２、好ましくは可視光学コード２４を表示することができる。コード１２の一例として、ＱＲ（クイックレスポンス）コード２４が挙げられる。コード１２は、高速に復号されて読み取られるという特性を有する。さらに、コード１２は、好ましくは、そのような既知の消費者モデルの読み取りデバイスによって処理され、当該コード１２を読み取るための特別なデバイスを配置および設定する必要はない。コード１２は、主に出力デバイス１４上で常時可視である。一方、コード１２を、所定の基準に基づいて出力デバイス１４上で可視とすることもできる。これらの複数の例は、所定の基準による電子デバイス４０に対する励起、所定の基準による電子デバイス４０の位置データ、および／または、さらに他のいくつかの例が含まれ、例えば、システム１０のユーザ／管理者によって設定可能な、時間ベースの基準を含む。
【００１６】
コード１２の表示を励起するには、例えば、出力デバイス１４のボタンを押下してもよいし、光または音声信号など、出力デバイス１４で検出されて、励起として判別される信号を用いてもよい。励起は、例えば、読み取りデバイス１３．１、１３．２が与えることができる。励起は、例えばサーバ構成１１が生成することができる。励起は、例えば、読み取りデバイス１３．１、１３．２を介して、出力デバイス１４に送信してもよい。出力デバイス１４、より一般的には電子デバイス４０、および／または本明細書で後ほどより詳細に説明する方法で、サーバ構成１１によって読み取りデバイス１３．１、１３．２を介してデータを送信するように接続された外部デバイス３０のリモート制御についても同様である。
【００１７】
出力デバイス１４、１４’は、その電力消費に応じて異なる状態を取るタイプのものであってもよい。これらの状態の１つとして、出力デバイス１４、１４’は、電力消費をパッシブ状態（例えば、「スリープモード」）にすることができる。パッシブ状態では、出力デバイス１４、１４’がゼロ電流に設定される（すなわち、実質的に電力を消費しない）。さらに、出力デバイス１４、１４’は、読み取りデバイス１３．１、１３．２によって読み取るコード１２をゼロ電流のパッシブ状態で表示するように構成される、またはより一般的には、構成することができる。出力デバイス１４、１４’は、コード１２が更新された場合にのみ電流を消費すると言える。したがって、出力デバイス１４、１４’は、低電力であるとも言える。さらに、出力デバイス１４、１４’は、セルフパワー式で実装することもできる。出力デバイス１４、１４’の更新を停止することもできる。これは、コード１２が読み取られないとわかっている特定の期間中に可能である。当該期間は、例えば、手動で設定した期間であってもよい。また、当該期間は、例えば、電子デバイス４０を構成する光センサ２７（図２）に基づく適合省電力状態であってもよい。そして、例えば、真暗であった場合、出力デバイス１４、１４’は更新されない。さらに、温度および／または振動に基づく基準を用いてもよい。
【００１８】
コード１２を出力デバイス１４、１４’で表示する場合、例えば、上述の適切な方法で設定を行うことができる。パッシブ状態でコード１２を表示する出力デバイス１４、１４’は、システム１０の使い易さの点においても有利である。コード１２を呼び出すオペレーションを別途行う必要がなく、必要なときにいつでも読み取ることができる。本特徴によって、モニタリングオブジェクト２０．１、２０．２の読み取りが大幅に高速化する。
【００１９】
出力デバイス１４の例として、「ｅ−ｉｎｋ」または「ｅ−ｐａｐｅｒ」ディスプレイとして通常知られる電子ペーパーディスプレイ技術に基づく表示手段を用いることができる。商用例の１つとして、Ｇｏｏｄ  Ｄｉｓｐｌａｙ社のＧＤＥＷ０１５４Ｔ８が挙げられる。出力デバイスは、何らかのオンオフ出力手段１４’（図８ａ〜８ｃ）であってもよいし、例えば、パルス式のディスプレイであってもよい。このように、出力デバイス１４、１４’は動的であっても静的であってもよい。
【００２０】
システム１０では、１つ以上の読み取りデバイス１３．１、１３．２を用いて、データ１９を含むコード１２を出力デバイス１４から読み取ることが可能である。したがって、これらには、サーバ構成１１のデータ伝送が設定される。さらに、読み取りデバイス１３．１、１３．２の少なくとも一部は、サーバ構成１１との双方向データ伝送を設定してもよい。読み取りデバイスは、例えば、手動で操作する読み取りデバイス１３．１、例えば、カメラ付きの携帯モバイルデバイス、「スマートフォン」、タブレットデバイス、または、例えば、ＡＲまたはＶＲ（拡張現実／仮想現実）メガネであってもよい。読み取りデバイス１３．１は、光学およびグラフィックコード１２を読み取るための機能２８（例えば、ＱＲコード２４の読み取り装置として取り付けられたカメラ、および伝送／サービス要求用のＱＲコードを処理する機能）を備え、出力デバイス１４の励起を生成することができる。機能２８は、視覚的ＱＲコード２４をデータとして復号することができ、さらに、好ましくは、ＱＲコード２４に含まれるインターネットアドレス６７（図４ａ）に送信することができる。
【００２１】
読み取りデバイス１３．２は自動であってもよい。読み取りデバイス１３．２は、カメラを用いて実装可能である。当該カメラは、データ伝送ネットワークに接続することでデータ伝送手段を有しており、コード１２として動作する光学コード２４をモバイルデバイスのように読み取る、および／または出力デバイス１４の励起を生成することができる。そして、例えばモバイルデバイスそのものである読み取りデバイス１３．２は、例えば、ベルトコンベア上を移動するモニタリングオブジェクトをモニタリングしてもよく、当該オブジェクトが読み取りデバイス１３．２を通過する際に自動的に読み取りを行う。
【００２２】
システム１０を構成するサーバ構成１１は、例えば、電子デバイス４０からコード１２を読み取って取得したデータ１９を処理および／または格納するためのものである。サーバ構成１１は、少なくとも１台のサーバコンピュータを含むクラウドシステムまたはサービスを形成してもよい。読み取りデバイス１３．１、１３．２は、コード１２を読み取った結果のデータ１９を電子デバイス４０からサーバ構成１１に送信する。次に、サーバ構成１１は、データ１９を格納および処理し、また、必要に応じて、例えば読み取りデバイス１３．１、１３．２に、データ１９を送り返す。読み取りデバイス１３．１、１３．２、およびサーバ構成１１は、例えば、モバイルネットワークなどの無線データ伝送ネットワークを介して、相互に結合してもよい。
【００２３】
図２は、電子デバイス４０が備える機能の一例を簡略化して示す概略図である。上述したように、電子デバイス４０は、出力デバイス１４（すなわち、ディスプレイ）を含む。これは、形成されたコード１２（この時点で、データ伝送コードとして動作する光学ＱＲコード２４）を、次に出力デバイス１４上に視覚的に表示するためである。当該ディスプレイは、少なくとも部分的に、例えば、本明細書で後述するように、ＬＣＤディスプレイで形成することができる。あるいは、上述したように、ディスプレイ上に描画されたパターンを維持するのに電力を必要としないディスプレイで形成することができる。このようなディスプレイ技術の例として、ｅ−ｉｎｋまたはｅ−ｐａｐｅｒディスプレイなどの電子ペーパーディスプレイ技術（ＥＰＤ）に基づくディスプレイが挙げられる。パターンが１回限り描画されるシングルユースのディスプレイも、ディスプレイ技術として動作可能である。当然ながら、描画は、１つ以上の段階にわたって、例えば、ディスプレイの異なる領域で行うことができる。図８ａ〜８ｃを参照して、本実施形態をさらに詳細に説明する。また、電子デバイス４０は、本発明のコンテキストにおいて、「タグ」（特に「ＱＲタグ」）と呼ぶこともできる。
【００２４】
また、電子デバイス４０は、出力デバイス１４に加えて、データ１９を格納するためのメモリ１６と、プロセッサ手段２１とを含む。プロセッサ手段２１は、例えば、データ１９を処理するためのものであってもよい。データ１９は、所定の態様でメモリ１６に格納される。メモリ１６に格納されたコード１２のデータ１９（この時点で、出力デバイス１４上に表示するＱＲコード２４）は、例えば、プロセッサ手段２１によって形成される。プロセッサ手段１２は、場合によっては、データ１９を（例えば、ＱＲコード２４を形成する前に）暗号化することもできる。
【００２５】
出力デバイス１４用にデータ１９を処理し、場合によってはデータ１９の暗号化も行うプロセッサ手段２１は、少なくとも１つのプロセッサ２１’を含む。プロセッサ手段２１は、本明細書の後半でより詳細に説明する、外部デバイス３０からのデータ１９の読み取りおよび受信、データ１９の格納、場合によってはその暗号化、さらに、転送されることを意図した、好ましくは暗号化されたデータ１９に基づく光データ伝送に用いるコード１２および識別子コードの形成を処理する。プロセッサ２１は、例えば、プロセッサカード２２上に位置してもよいし、処理に必要なメモリ１６を含んでもよい。データ１９およびそれから形成されたコード１２を格納するのに必要なメモリ１６は、独立したメモリであってもよいし、プロセッサ回路内に組み込んでもよい。出力デバイス１４に加えて、メモリ１６も低電力にすることができる。このような低電力プロセッサ２１を備えたプロセッサ回路の例としては、Ｔｅｘａｓ  Ｉｎｓｔｒｕｍｅｎｔｓ社のＭＳＰ４４０シリーズまたはＡＲＭ  Ｃｏｒｔｅｘ  Ｍ０＋プロセッサ２５ＭＨｚが挙げられる。
【００２６】
一実施形態によれば、メモリ１６は、例えば、不揮発性メモリである。この一例として、ＦＲＡＭ（Ｆｅｒｒｏｅｌｅｃｔｒｉｃ  Ｒａｎｄｏｍ  Ａｃｃｅｓｓ  Ｍｅｍｏｒｙ：強誘電体ランダムアクセスメモリ）タイプのメモリが挙げられる。ここで、不揮発性という語は、メモリ１６にデータを保持するために当該メモリをリフレッシュし続ける必要のないことを指し、これにより、メモリを確実に低電力にすることができる。Ｆ−ＲＡＭまたはＦｅＲＡＭという略語は、サプライヤに応じて、他の既知のＦＲＡＭタイプのメモリに広く用いられる。当該メモリは、既知のＦＲＡＭタイプのメモリと同一の動作原理に従って開発された別の低電力メモリであってもよい。これらは、メモリの内容を、例えばフラッシュメモリと比較して比較的低電力で変更できること特徴としているため、メモリをさらに低電力にすることができる。適切な低電力メモリの別の例として、ＦＲＡＭタイプのメモリの代わりに、抵抗性ＲＡＭタイプのメモリ（ＲＲＡＭまたはＲｅＲＡＭ）を用いてもよい。不揮発性メモリの代わりに、他のメモリを使用することもできる。これらのメモリは、メモリの格納や維持にわずかな電力しか必要としないが、例えば半年から３年など、合理的な使用期間にわたって持続するように構成される。
【００２７】
また、プロセッサ手段２１も、省電力特性を有することができる。一実施形態によれば、プロセッサ手段２１は、例えば、低電力モード（ＬＰＭ）を有してもよく、低電力モードが必要ない場合には、中断によってプロセッサをオフにすることもできる。その場合、消費電力は極めて僅かである。ＦＲＡＭタイプのメモリは、例えば、０．５〜４ボルト、特に１〜２ボルトの動作電圧を有する。これは明確に１０ボルト未満であり、例えば、フラッシュメモリの典型的な電圧要件である。
【００２８】
また、電子デバイス４０は、例えば、プロセッサ２１’から取得した情報に基づいてディスプレイを制御する別個のディスプレイコントローラ２３を含んでもよい。ディスプレイコントローラ２３は、プロセッサ回路またはディスプレイパネル内に組み込んでもよい。また、ディスプレイコントローラ２３は、データ１９を処理するためのプロセッサ手段２１を備えることもできる。最もシンプルな場合、データ１９の処理とは、出力デバイス１４用のＱＲコード１２を形成することである。その場合、電子デバイス４０は、実際には、特別な処理能力を有さない出力デバイス１４であってもよい。
【００２９】
また、電子デバイス４０は、動作電力を供給する手段５４を含む。一実施形態によれば、手段５４は、例えば、電源１７であってよい。必要に応じて、電子デバイス４０を構成する構成要素および手段は、その動作電力を電源１７から得る。電源１７は、例えば、電池１７．１であってもよいし、例えば、電磁波、振動、光、または熱などのエネルギーを生成することのできるエネルギーハーベスタ１７．２であってもよい。しかしながら、好ましくは、電源１７は、ローカルのセルフパワー式電源である。その場合、電子デバイス４０、および場合によってはオブジェクト２０．１、２０．２も、動作時間の大部分において、固定された主電源は必要ない。電源１７は、測定期間または電子デバイス４０の寿命の間、例えば、半年から３年の間持続するように構成することができる。メモリ１６を満たすのに要する時間を、測定の持続時間または電子デバイス４０の寿命の基準として用いることもできる。一方、電源１７を交換することも可能である。さらに、動作電力を供給する手段５４を、例えば、スーパーキャパシタＳＣや他の同様の充電器（図３ｅ）で構成してもよい。これが十分に大きく、徐々に自己放電する場合、例えば、短時間のアプリケーションでは、それが唯一の電源として動作することもある。
【００３０】
図９ａは、電子デバイス４０の第２の例を簡略化して示す概略ブロック図であり、図９ｂは、電子デバイス４０を構成する電子部品の例を示す図である。両方の図において、電子デバイス４０の主要構成要素には上述の参照番号が付されている。図９ｂは、回路カード３８に取り付けられたバッテリ１７．１、ＣＰＵ２１’、内蔵可能な温度センサ１８’’、および、接点と外部で接続可能なプログラミングピンおよびピン１８’を示す。出力デバイス１４は、カードへのリボンコネクタ３７を有する。測定装置４０において、出力デバイス１４は、リボンコネクタ３７から回路カード３８の後方に向けて折り畳まれる。
【００３１】
さらに、電子デバイス４０は、１つ以上の外部デバイス３０にデータ伝送リンク４２を設定するためのデータ伝送インタフェース４３を含む。データ伝送インタフェース４３とこれを通して配置されるデータ伝送リンク４２とは、電子デバイス４０を外部デバイス３０に対するユーザインタフェースとして動作するように適合させるように構成される。したがって、電子デバイス４０は、ユーザインタフェースデバイスと呼ぶこともできる。
【００３２】
第１の実施形態によると、データ伝送インタフェース４３は、電子デバイス４０の測定データ１９’を収集するための手段４８とみなすことができる。したがって、測定データ１９’は、データ１９の一例である。測定データ１９’が収集され、外部デバイス３０から電子デバイス４０に転送される。このように、一実施形態によれば、測定データ１９’を測定し、作成することができる。測定データ１９’に加えて、またはその代わりに、電子デバイス４０は、外部デバイス３０から、測定データだけでなく、例えば、警告も読み取ることができる。これは、例えば、外部デバイス３０の警告レジスタの状態の問題である。警告の有無および警告の理由に関する情報は、「測定可能」なデータの別の例である。
【００３３】
一実施形態によれば、データ伝送インタフェース４３は無線であってもよい。その場合、データ伝送インタフェース４３は、無線データ伝送リンク４２を形成するための１つ以上のアンテナ４４．１を含むアンテナ配列４４を含んでもよい。さらに、データ伝送インタフェース４３は、好ましくは外部デバイス３０との無線データ伝送リンク４２用に構成されたコントローラ４５を少なくとも１つ含んでもよい。コントローラ４５は、少なくとも、１つ以上の外部デバイス３０からアンテナ配列４４を介して受信したデータ１９を受信して処理するように構成される。データ伝送インタフェース４３は、例えば、無線センサ接続を形成すると言える。コントローラ４５は、データバス１５を介してプロセッサ２１に接続される。プロセッサ２１自体が無線データ伝送を直接サポートするようなプロパティを有する場合、コントローラ４５は不要である。一方で、プロセッサ２１は、データ１９を、特に出力デバイス１４上に表示するための処理を行う。このように、電子デバイスの４０出力デバイス１４は、外部デバイス３０から受信および／または作成したデータ１９を含む機械読み取り可能なコード１２の、読み取りデバイス１３．１、１３．２による読み取りを意図したものである。
【００３４】
図３ａ〜３ｃは、外部デバイス３０の異なる実装可能性の複数の例を概略的に示す。本発明に関して、外部デバイス３０は、いくつかの異なる方法で実装することができる。本発明のコンテキストにおいて、外部デバイス３０という語は、物理的に電子デバイス４０の外側に存在する外部デバイスを指す。一実施形態によれば、外部デバイス３０としては、測定データ１９’を形成する１つ以上の形成手段１８を含んでもよい。さらに、外部デバイス３０は、必要に応じてプロセッサ手段４７をさらに含んでもよい。当該プロセッサ手段４７は、例えば、形成手段１８によって形成された測定データ１９’を処理して電子デバイス４０に転送するためのものである。以下、本明細書内で後述するように、プロセッサ手段４７は、送信に対する逆方向データ伝送に関して、測定データ１９’を電子デバイス４０に送信することに加えて、またはその代わりに、さらに動作可能である。その結果、例えば、外部デバイス３０および／またはオブジェクト２０．２の制御を行うことができる。パート１８および４７は、必要に応じてそれらのメモリ４９とともに、データ収集デバイスまたはデータロガーと呼ぶこともできる。このように、形成手段１８は、所定の態様で測定データ１９’を作成して、例えば、物流チェーンにおいてより長期間にわたってモニタリングオブジェクト２０．１を常時モニタリングし、外部デバイス３０内のメモリ４９に測定データ１９’を収集することができる。
【００３５】
外部デバイス３０の形成手段１８は、例えば、温度、圧力、または湿気値などの測定データ１９’を生成する１つ以上のセンサ１８．１など、データ１９を生成するものであればよい。図３ａにこの例を示す。センサ１８．１の例として、温度用のＳｉ７０５５（Ｓｉｌｉｃｏｎ  Ｌａｂｓ社製）と加速度用のＢＭＡ４００（Ｂｏｓｃｈ  Ｓｅｎ−ｓｏｒｔｅｃ社製）が挙げられる。この場合、外部デバイス３０は、無線データ伝送手段５１を備えたセンサである。無線データ伝送手段５１は、アンテナ４４．２と、無線データ伝送のためにアンテナ４４．２に接続されたコントローラ回路５２とを含む。一方で、コントローラ回路５２は、プロセッサ４７に直接接続されるか、あるいはセンサ１８．１自体に直接接続される。図３ａのアプリケーションの１つは、例えば、インテリジェンスや機能のない、モニタリングオブジェクトのオブジェクト２０．１である。一例として輸送ユニットが挙げられる。外部デバイス３０は、例えば、輸送パッケージに取り付けることができる。
【００３６】
一方で、形成手段１８は、例えば、別のデバイス、より一般的には、アプリケーションデバイス５０などのモニタリングオブジェクト２０．１へのリンクなど、外部デバイス３０に対する別個のデータソース１８．２であってもよい。図３ｂにこの例を示す。ここで、アプリケーションデバイス５０と外部デバイス３０との間には、これらを相互に接続するためのインタフェース５７が存在する。また、形成手段１８は、例えば、外部デバイス３０内に配置されたデータ変換器１８．３であってもよい。データ変換器１８．３は、例えば、外部データソースをリスニングし、プロセッサ手段４７との互換性を有するようにデータ１９を変換することができる。数学的アルゴリズムを形成手段と理解することも可能である。当該数学的アルゴリズムを用いて、外部デバイス３０にすでに接続されたセンサデータによって生成された生データから、より洗練された測定データを形成することができる。図３ｂの実施形態では、図３ａのセンサ１８．１は、アプリケーションデバイス５０へのリンクで置き換えられる。したがって、測定データ１９’は、外部デバイス３０に取り付けられたセンサ１８．１からではなく、外部アプリケーションデバイス５０から得られる。アプリケーションデバイス５０の一例として、電気ヒーターが挙げられる。外部デバイス３０は、この場合、電気ヒーターに関連付けて配置し、そのオペレーションを制御するための固有の測定および制御手段を配置してもよい。外部デバイス３０は、例えば、熱に関する測定データ１９’を収集することができる。熱の制御（すなわち、デバイス３０／オブジェクト２０．１、２０．２から測定データを取得するのとは反対方向へのデータ伝送）も可能である。
【００３７】
図３ｃは、第３の実施形態の例を示す図である。この中で、アプリケーションデバイス５０自体が、電子デバイス４０に対する外部デバイス３０として動作する。ここで、オブジェクトがモニタリングオブジェクト２０．１である場合、無線データ伝送手段５１は、測定データ１９’を形成するための可能なセンサ手段と同様に、アプリケーションデバイス５０に統合される。したがって、ここでは、例えば、図３ｂに示したように、アプリケーションデバイス５０と電子デバイス４０との間のデータ伝送を意図した別個の外部モジュールを設ける必要はまったくなく、代わりに、アプリケーションデバイス５０そのものの内部に設けられる。一方で、アプリケーションデバイス５０内に、センサ１８．１、対応のプロセッサおよびメモリが設けられる。ここで、アプリケーションデバイス５０とデータ伝送手段５１との間には、これらを相互に接続する外部デバイス３０として動作するインタフェース５７が存在する。したがって、本発明において、データ形成要素１８は、非常に多くの異なる形態をとることができる。
【００３８】
上記の図３ａ〜３ｃの場合、問題となるのは、測定が行われ、測定データ１９’が作成されるモニタリングオブジェクト２０．１である。しかし、制御オブジェクト２０．２が問題となることも考えられる。オブジェクト２０．２の制御は、測定データ１９’を形成するか否かにかかわらず、オブジェクト２０．２に対して行うことができる。オブジェクト２０．２の制御を行う場合、主に電子デバイス４０から外部デバイス３０へとデータ伝送が行われ、制御が行われる。または、外部デバイス３０を介して、アプリケーションデバイス５０（すなわち、制御オブジェクト２０．２）の制御が行われる。当該制御は、例えば、電子デバイス４０を用いて、外部デバイス３０および／またはそれに関連付けて配置されるオブジェクト２０．２の設定を行う／変更するように行うことができる。さらに、本発明のコンテキストにおける制御とは、最もシンプルには、外部デバイス３０へのデータ伝送のみであってもよい。制御に関連するアプリケーションは、以下の説明でより詳細に後述する。
【００３９】
図１２ａおよび１２ｂは、電子デバイス４０と外部デバイス３０の相互接続をクイックリリースコネクタを用いて設定する方法の１つを簡略化して示す概略図である。図１２ａおよび１２ｂは、電子デバイス４０をその裏側から示す。すなわち、出力デバイス１４およびＱＲコード２４は反対側に位置する。
【００４０】
一実施形態によれば、電子デバイス４０は、さらに、電子デバイス４０とのデータ伝送リンク４２を設定するための１つ以上の外部デバイス３０を接続するクイックリリース手段４１を含む。
【００４１】
このとき、クイックリリース手段４１は、電子デバイスの４０アンテナ配列４４に関連付けて配置される。クイックリリース手段４１は、例えば、電子デバイス４０の裏側に配置され、電子デバイス４０に取り付けられる接着面４６を含んでもよい。また、接着面４６は、例えば、外部デバイス３０内の自己接着ストリップ５３であってもよく、センサ１８のインタフェース部（すなわち、外部デバイス３０であり、ここではアンテナ４４．２）を含む。一方で、電子デバイス４０は、受信部４３を有する。
【００４２】
無線データ伝送インタフェース４３は、誘導結合および／または容量結合によって実装することができる。例えば、誘導結合の場合には、データ伝送インタフェース４３を、外部デバイス３０に電力を供給するように構成することができる、これは反対であってもよい。したがって、最もシンプルな場合、外部デバイス３０はそれ自体の電源をまったく必要としない。しかしながら、例えば、連続測定を行う場合、外部デバイス３０は、セルフパワー電源を備えることもできる。
【００４３】
データ伝送インタフェース４３を誘導結合によって実装する場合、コントローラ４５は、好ましくは、ＮＦＣコントローラ４５’（例えば、データ伝送周波数１３．５６ＭＨｚ）であってもよい。その範囲は、例えば、数センチメートルである。
【００４４】
図３ｄは、本発明を実施するデバイス４０、３０の一実施形態を簡略化して示す概略ブロック図である。この一実施形態によれば、電子デバイス４０は、マキシム回路ＭＡＸ６６３００を備えることができる。外部デバイスは、ワイヤレスＮＦＣ／ＲＦＩＤインタフェースをＩ２Ｃインタフェースに接続するマキシム回路ＭＡＸ６６２４２を備えることができる。これらは、リンク４２を介して電力を送るのにも用いることができる。このようにして、異なるセンサ製造業者がそれぞれ独自のセンサ３０を提供するエコシステムを作成することができる。当該センサ３０は、所定の仕様のコネクタ（例えば、クイックコネクタ）で電子デバイス４０に接続される。セルフパワー式であるため、データを電子デバイス４０に押し出すことができる。
【００４５】
図３ｅは、本発明を実施するデバイス３０、４０の一実施形態を簡略化して示す概略ブロック図である。ここで、外部デバイス３０の主要構成要素は、マイクロコントローラ１８およびメモリ４９である。マイクロコントローラ１８は、センサとして動作し、実際の測定を行う。さらに、マイクロコントローラ１８は、測定結果を作成してＥＥＰＲＯＭメモリ４９内に置くこともできる。そして、電子デバイス４０は、メモリ４９から最終結果を読み取る。データは、電子デバイス４０と外部デバイス３０の間を両方向に移動することができる。さらに、電子デバイス４０は、エネルギー場を形成して、外部デバイス３０にエネルギーを供給することができる。一方で、外部デバイスの３０の機能部（参照番号４９、ＳＣ）は、エネルギーをマイクロコントローラ１８（環境発電）に送る。さらに、データ伝送リンク４２（フィールド検出）を介して励起が受信された場合にのみマイクロコントローラ１８を励起する機能５６をさらに有してもよい。その場合、測定は励起に応じてのみ行うことができる。機能部とマイクロコントローラ１８の間のデータ伝送も双方向であってもよい。データ伝送は、Ｉ２Ｃプロトコルまたは同様のデータバスによって設定することができる。
【００４６】
上に、本発明を、主に無線の実施形態（すなわち、電子デバイス４０と外部デバイス３０の間が非接触である）として説明した。同様に、これらのパーツ間の接触はガルバニック（すなわち、固体、光学、または音響）接触であってもよい。
【００４７】
上の本発明に係る電子デバイス４０、外部デバイス３０、およびデータ伝送システム１０は、電子デバイス４０がマスタとして動作し、外部デバイス３０／オブジェクト２０．１、２０．２がそのスレーブとして動作する実施形態として主に説明した。この反対も可能である。すなわち、外部デバイス３０が電子デバイス４０に対するマスタとして動作することも等しく可能である。また、そのような実施形態では、例えば、電子デバイス４０が、例えば、外部デバイス３０および／またはオブジェクト２０．１、２０．２に対するユーザインタフェースとして用いられる場合、スーパーキャパシタＳＣまたは他の同様の充電器は、電源として動作可能である。これは、特に、外部デバイス３０および／またはオブジェクト２０．１、２０．２自体が固定電源回路内にある場合である。そして、例えば、電気ラジエータまたは周波数変換器などの外部デバイスは、当該外部デバイスのアンテナ４４．２またはそれに接続された外部デバイス３０の１つを用いて搬送波のみを生成し、これを介して、電子デバイス４０のスーパーキャパシタＳＣまたは同様の充電器を充電することができる。したがって、ここでは、電子デバイス４０のデータ伝送インタフェース４３のコントローラ４５は、電力の生成を目的として動作する。言い換えれば、ここでのデータ伝送インタフェース４３は、電子デバイス４０が外部デバイス３０から電力を受けるように構成される。したがって、電子デバイス４０は、必ずしも別の電源を必要とするわけではなく、「何時までも」動作することができ、その価格は、例えば、バッテリによるものと比較しても大幅に安価となる可能性がある。
【００４８】
スーパーキャパシタまたは他の同様の充電器もオプションであってよい。これは、特に、出力デバイス１４上の機械読み取り可能なコード１２を更新する場合にのみ電力が必要となる場合である。機械読み取り可能なコード１２が更新されると、例えば、コード１２を読み取りデバイス１３．１、１３．２上に表示することが唯一のタスクである場合、電子デバイス４０上には他に電力を必要とするものがほぼ存在しない。
【００４９】
図４ａは、出力デバイス１４とその上に表示されるコード１２の例を概略的に示す。出力デバイス１４上には、動的視覚グラフィック要素がコード１２（例えば、ＱＲコード２４）として表示される。ＱＲコード２４は、またはより一般的にはコード１２は、常時表示してもよいし、必要な場合のみ、または要求のあった場合のみ、表示してもよい。加えて、出力デバイス１４は、例えば、外部デバイス３０および／またはオブジェクト２０．１、２０．２に関連する瞬時的な測定値２５を示すのに用いることができる。当該瞬時値は、電子デバイス４０が外部デバイス３０および／またはオブジェクト２０．１、２０．２に静的に接続されている場合に、周期的に更新することができる。データ２５および測定データ１９’は、例えば、温度、湿気、加速度、二酸化炭素、いくつかの電気的変数、または測定可能な他の任意の変数、または測定可能な変数の最小値、最大値、平均値、または履歴に基づく他の値、または測定可能な変数から算出した結果であってもよい。データ２５は、ＱＲコード２４なしでクリアテキストで表示することもできる。例えば、読み取りは、読み取りデバイス１３．１、１３．２を用いて行われるため、例えば、オブジェクト２０．１、２０．２の状態またはその瞬時的な状態データのみをチェックする場合など、すべての状況で行う必要はない。これにより、システムが非常に柔軟でユーザフレンドリーになる。一方で、ＱＲコード２４によって、サーバ構成１１に対して送信を行うことが容易になる。また、例えば、オブジェクト２０．１、２０．２に関するより洗練された履歴データを判定することが容易になる。
【００５０】
さらに、例えば、可視警告サイン２６を出力デバイス１４上に表示することができる。その外見は、例えば、電子デバイス４０および／または外部デバイス３０上でプログラミングが可能である。警告サインは、例えば、温度または温度超過の合計が所定の制限値を超えた場合に表示することができる。
【００５１】
一実施形態によれば、受信手段２７’は、電子デバイス４０に関連付けて配置され、例えば、読み取りデバイス１３から転送された要求を検出して、例えば、電子デバイス４０を介して、電子デバイス４０および／または外部デバイス、および／またはオブジェクト２０．１から測定データ１９’を取得するように構成される。同様に、同一の受信手段２７’を用いて、例えば、電子デバイス４０、外部デバイス３０および／またはオブジェクト２０．２の設定を行うまたは変更することができる。より一般的には、受信手段２７’は、電子デバイス４０に関連付けて配置され、電子デバイス４０、特に外部デバイス３０またはオブジェクト２０．２そのもの（例えば、サーバ装置１１を介して接続されたアプリケーションデバイス５０）の制御および／またはモニタリングを、読み取りデバイス１３．１、１３．２および電子デバイス４０を介して行うと言える。より一般的には、電子デバイス４０から外部デバイス３０／オブジェクト２０．１、２０．２へのデータ伝送についてのみ言うことができる。受信手段２７’では、例えば、出力デバイス１４の本体に開口部があり、その後方に、出力デバイス１４を励起するのに必要なセンサ２７がある。センサ２７は、例えば、マイクロフォンやフォトセンサであってもよいし、深さがある場合には磁力計であってもよい。このセンサ２７を用いることで、例えばスマートフォンなどの読み取りデバイス１３．１は、出力デバイス１４のみならず電子デバイス４０に対しても通信、特に制御を行うことができる。このように、スマートフォンは、例えば、コード１２を更新する必要があること、または次のコード１２を順番に表示する必要があることを、出力デバイス１４に通知することができる。加えて、例えば、電子デバイス４０、より具体的には外部デバイス３０、またはモニタリングオブジェクト２０．２そのもの、（すなわち、外部デバイス３０に接続可能なアプリケーションデバイス５０）の設定を行うことができる、または、外部デバイス３０および／またはオブジェクト２０．１、２０．２にデータを送信することができる。これらの実施形態は、以下の説明でより詳細に説明する。フォトセンサ２７の場合、例えば、Ｌｉｔｅ−Ｏｎ社のＬＴＲ−４０８ＡＬＳ−０１などの商業的実装に含まれる可能性がある。受信手段２７’は、ＮＦＣ通信モジュールである可能性もある。その場合、読み取りデバイス１３．１、１３．２から電子デバイス４０へのデータ伝送は、ＮＦＣリンクを介して行うことができる。
【００５２】
図４ｂは、測定データ１９’をモニタリングオブジェクト２０．１からサーバ構成１１に転送することが望まれる場合における本発明によるシステム１０のオペレーションを、電子デバイス４０とサーバ構成１１の間の段階的なフロー図として示す。ステージ４０１では、外部デバイス３０および／またはモニタリングオブジェクト２０．１から取得したデータが埋め込まれた、出力デバイス１４上に表示することを意図した視覚的／可視コード１２が、読み取りデバイス１３．１によって読み取られるか否かを確認する。読み取りが行われない場合（例えば、当該コード１２が不可視である場合）、その励起工程４０２〜４０５が実行される。ステージ４０２で、自動励起が可能か否かを確認する。可能である場合、ステージ４０４で、読み取りデバイス１３．１から出力デバイス１４に励起が送られる。この結果、ステージ４０５において、出力デバイス１４が読み取り可能なコード１２を表示する。ステージ４０２において自動励起が不可能な場合、ステージ４０３で、出力デバイス１４のボタンを押すなどして、手動で励起が生成される。その結果、ステージ４０５で、出力デバイス１４がコード１２を表示する。
【００５３】
ステージ４０１で、読み取るコード１２があった場合、あるいは励起手順の結果、ステージ４０６で、読み取りデバイス１３．１がコード１２を読み取る。読み取りデバイス１３．１によって読み取られたコード１２を受信したサーバ構成１１が、これに基づいて行われたデータ伝送に基づいて、ステージ４０７において、追加のデータを電子デバイス４０または電子デバイス４０に接続した外部デバイス３０から取得する必要があると判断した場合、ステージ４０１に戻る。
【００５４】
ステージ４０８で、読み取りデバイス１３．１によってデータがサーバ構成１１に送信される。ステージ４０９で、サーバ構成１１および／または読み取りデバイス１３．１は、読み取ったおよび／または送信されたデータから、追加のデータが必要か否か（すなわち、例えばデータが消失している可能性があるか否か）を調べることができる。これは、データそのもの（またはデータの消失を示す、データ内の特別なコード）から確認することができる。追加のデータが必要な場合、ステージ４０１に戻る。
【００５５】
これに関連して、図５は、電子デバイス４０とシステム１０を構成するサーバ構成１１との間の並列時間セグメントのシーケンス図である。図５は、１つの状態更新手順のパフォーマンスの段階を示す。ステージ５０１では、出力デバイス１４内に常時可視の光学ＱＲコード２４があり読み取りデバイス１３．１のカメラを用いて読み取ることができることがわかる。したがって、読み取りデバイス１３．１は、いつでもＱＲコード２４を読み取ることができ、事前に出力デバイス１４を励起／通知する必要はない。これにより、例えば、出力デバイス１４、１４’をゼロ電力のパッシブ状態にすることが可能となり、必須の電力消費なしにコード１２を表示することができる。
【００５６】
ステージ５０２で、読み取りデバイス１３．１（例えば、モバイルデバイス）は、例えば、出力デバイス１４上に表示されたＱＲコード２４などの光学コード１２を正常に読み取り、これを介して、データが読み取りデバイス１３．１に転送される。光学コード１２内から読み取るデータは、例えば、ウェブアドレス６７やその他のデータであってもよい。ウェブリンク６７の場合、モニタリングオブジェクト２０．１および／または外部デバイス３０に関連し、サーバ構成１１に送信される測定データ１９’は、例えば、図４ａに示すＱＲコード２４に含まれるウェブリンク６７（図４ａ）に埋め込まれる。ＱＲコード２４に含まれるデータ内に既知のウェブリンク６７がない場合、読み取りデバイス１３．１が、所定の態様でデータを処理および送信するコードを有してもよい。
【００５７】
ステージ５０３で、読み取りデバイス１３．１は、例えばモバイルネットワークなどのデータ伝送ネットワークを介して、データをサーバ構成１１に送信する。ＱＲコード２４に通常のウェブリンク６７が含まれる場合、ユーザ２９がＱＲコード２４をスキャンしてそこに定義されたウェブリンクを開くと、当該ＱＲコード２４から復号されたデータ１９が、自動的に当該リンク６７（「ＵＲＬ」）においてサーバ構成１１に移動する（すなわち、コール）。サーバ構成１１は、当該サーバ構成１１に関連する電子デバイス４０および／または外部デバイス３０またはオブジェクト２０．１、２０．２のうちのどれをユーザ２９がスキャンしたかを把握している。これは、電子デバイス４０および／または外部デバイス３０および／またはオブジェクト２０．１、２０．２の識別子ＩＤも、読み取られたＱＲコード２４に埋め込まれており、復号リンクにも埋め込まれているためである。
【００５８】
ステージ５０４で、サーバ構成１１は、読み取りデバイス１３．１によって送信されたデータを受信、格納、および処理する。データが暗号化されている場合、サーバ構成１１はデータの復号化も行う。データが圧縮されている場合、サーバ構成１１はデータの解凍も行う。読み取りデバイス１３．１が読み取って送信したデータは、サーバ構成１１に格納される。同時に、ＱＲコード２４に含まれるウェブリンク６７をアクティベートすることで、ユーザ２９を、サーバ構成１１が管理する情報ページに誘導することができる。
【００５９】
一実施形態によれば、サーバシステム１１と少なくとも電子デバイス４０との間には双方向データ伝送が設定され、好ましくは、読み取りデバイス１３．１、１３．２を介して行われる。そして、サーバ構成１１と読み取りデバイス１３．１の間、さらには読み取りデバイス１３．１と電子デバイス４０の間のデータ伝送も双方向である。さらに、電子デバイス４０と外部デバイス３０との間、したがってサーバ構成１１と外部デバイス３０との間のデータ伝送も、双方向であってもよい。したがって、サーバ構成１１と外部デバイス３０との間のデータ伝送は、読み取りデバイス１３．１、１３．２および電子デバイス４０を介して行われる。このため、電子デバイス４０のデータ伝送インタフェース４３は、電子デバイス４０と少なくとも１つの外部デバイス３０との間に双方向データ伝送リンク４２を形成するように構成される。サーバ１１と外部デバイス３０および／またはオブジェクト２０．１、２０．２との間の双方向データ伝送によって、いくつかの異なる利点が得られる。例えば、外部デバイス３０は（したがって、オブジェクト２０．１、２０．２も）、本発明によって制御可能な読み取りデバイス１３．１および電子デバイス４０を介して、サーバ構成１１によって制御することができる。例えば、設定を行うことに加えて、データを外部デバイス３０に転送することもできる。
【００６０】
さらに、サーバ構成１１に送信する当該データは、例えば、１つのＱＲコード２４ですでに伝送したデータ以外のデータをモニタリングオブジェクト２０．１が有しているか否かに関するヘッダ情報を含んでもよい。したがって、サーバ構成１１は、電子デバイス４０および外部デバイス３０から、および／または電子デバイス４０が設定されたオブジェクト２０．１から追加のデータを取得する必要があるか否かを判断することができる。したがって、サーバ構成１１は、例えば、前回送信時の読み取りデバイス１３．１、１３．２のコード１２に応じて、外部デバイス３０および／またはオブジェクト２０．１から測定データ１９’を取得する必要性を判断するように構成される。
【００６１】
必要なデータがすべてサーバ構成１１に格納されているとサーバ構成１１が判断した場合、追加のデータは不要である。しかしながら、追加のデータが存在する／必要であると判断した場合、プロセス５０５において、サーバ構成１１は、追加のデータを読み取るコールを、送信要求応答として読み取りデバイス１３．１に送信することができる。このとき、読み取りデバイス１３．１は、サーバ構成１１から電子デバイス４０に要求を送信して、外部デバイス３０および／またはオブジェクト２０．１、２０．２から測定データ１９’を取得するように構成される。外部デバイス３０および／またはオブジェクト２０．１、２０．２から電子デバイス４０を介して測定データ１９’を取得する要求は、読み取りデバイス１３．１、１３．２によって事前に読み取られたコード１２と、これに基づいて行われた送信（すなわち、ハンドシェイク）と、に応答して生成および送信されるように構成される。
【００６２】
ステージ５０６で、読み取りデバイス１３．１は、サーバシステム１１によって生成および送信された要求を受信し、電子デバイス４０、より具体的にはその出力デバイス１４から、またはそれを介して外部デバイス３０および／またはオブジェクト２０．１、２０．２から、追加のデータを取得し、読み取る。しかしながら、好ましくは、外部デバイス３０／オブジェクトのすべてのデータは、電子デバイス４０に一度に読み取られる。その後、これらの間のリンクは、少なくとも測定データ１９’を送信するためには必要ない。読み取りデバイス１３．１は、当該要求を受信し、これに基づいて、電子デバイス４０に送信するセットタイプ信号コマンドを生成する。追加のデータが必要ない場合、サーバ構成１１は、データ伝送手順が正常に終了したことの確認のみ行う。
【００６３】
ステージ５０７で、読み取りデバイス１３．１は、例えば、光信号や音声信号などのコマンドを電子デバイス４０に送信する、または、読み取りデバイス１３．１のユーザ２９に、読み取りデバイス１３．１または電子デバイス４０の設定ボタンを押してコマンドを生成して、電子デバイス４０（より具体的には、その出力デバイス１４）に示すように指示する。当該コマンドによって、読み取りデバイス１３．１は、サーバ構成１１によって要求された外部デバイス３０および／またはオブジェクト２０．１、２０．２の次のデータ１９または一部を、電子デバイス４０に要求する。
【００６４】
ステージ５０８で、出力デバイス１４は、次のデータバッチで光学コード１２を更新する。コード１２が更新されると、ステージ５０９はステージ５０１に戻って、次のデータバッチに含まれるコード１２を、読み取りデバイス１３．１によって、電子デバイス４０の出力デバイス１４から読み取ることができる。上のようにして、ステージ５０２〜５０４が繰り返される。この処理は、所望の場合にまたは必要に応じて続けてもよい。
【００６５】
一実施形態によれば、ステージ５１０において、読み取りデバイス１３．１、１３．２のデータ形成手段３２’によって表示される、オブジェクト２０．１、２０．２に関するコンテキストデータ３３は、双方向データ伝送の一部として、読み取りデバイス１３．１、１３．２に送信されるように設定される。もちろん、電子デバイス４０を介して、外部デバイス３０／オブジェクト２０．１、２０．２までコンテキストデータを送信することも可能である。サーバ構成１１は、例えばユーザ２９のアクセス権レベルに基づいて、このデータ３３をユーザ２９に対して表示することができる。一実施形態によれば、このコンテキストデータ３３の少なくとも一部は、サーバ構成１１を利用して読み取りデバイス１３．１、１３．２によって読み取られたコード１２およびそれから処理されたデータに基づいて形成してもよい。したがって、ＱＲコード２４をサーバ構成１１に読み取った結果、サーバ構成１１に送信され、場合によってはそこで処理されたデータ、および／または当該ＱＲコード２４からリファインされたデータ、より一般的にはコンテキストデータ３３は、必要に応じて、ステージ５１１で読み取りデバイス１３．１に送信される。例えば、ウェブページ（ｈｔｍｌ形式）として、読み取りデバイス１３．１のディスプレイ３２上で、クリアテキストで、ユーザ２９に直接表示することができる。最もシンプルには、例えば、物流におけるモニタリングオブジェクトが必要とする場合、当該情報は、コールドチェーンに破損がないことを示すものであってもよい。当該データに基づいて、モニタリングオブジェクトの製品は、コールドチェーンが維持されている場合には使用が許可される。あるいは、コールドチェーンが破損していることが示された場合は、使用が拒絶されるか、さらなる確認が指示される。一般に、ディスプレイ３２は、データ形成手段３２’と呼ぶこともできる。前記読み取りデバイス１３．１、１３．２の少なくとも一部は、データ出力手段３２’を備えてもよい。
【００６６】
図７は、本発明で使用する可能性のある低電力かつエネルギー効率の高い暗号化方法の例を示す。当該方法は、まず、図の左側のブロック６１のデータ６３を暗号化キー６２を用いた暗号化に用い、そして、サーバによる右側のブロック６５の暗号化キー６６を用いた暗号化の復号化に用いる。したがって、一実施形態によれば、電子デバイス４０は、ＱＲコード２４の読み取りの結果として（すなわち、当該読み取りに基づいて）、電子デバイス４０からサーバ構成１１に送信された測定データ１９’を暗号化するようにも構成される。
【００６７】
ブロック６１は、電子デバイス４０に関連付けられる。暗号化キー６２は、電子デバイスのメモリ１６全体のサイズであり、例えば、シングルユースの乱数キューであってもよい。暗号化キー６２の長さも対応する場合、メモリ１６のサイズは、例えば２００Ｍｂまたは１Ｇｂであってもよい。暗号化するデータ６３は、電子デバイスのメモリ１６に格納する／格納されたデータであり、例えば、外部デバイス３０によって行われる物体２０．１、２０．２の温度測定に関するものであってもよい。暗号化測定データ６４を得た場合、暗号化するデータ６３と暗号化キー６２とをＸＯＲオペレーションで組み合わる。また、暗号化測定データ６４は、電子デバイス４０のメモリ１６に格納される。暗号化測定データ６４は、使用時に電子デバイス４０のメモリ１６に格納された暗号化キーのメモリ位置を置き換えることができる。言い換えれば、暗号化測定データ６３は、暗号化キーの文字が使用される際に、シングルユースの暗号化キー６２を上書きする。このようにして、メモリ１６を非常に効率的に利用することができる。同時に、暗号化キー６２が暗号化によって破壊され、暗号化測定データ６３を開くことができなくなるが、電子デバイスの４０メモリ１６は読み取ることができる。
【００６８】
暗号化キー６２、６６は乱数であってもよく、サーバ構成１１に格納される。暗号化キー６２は、製造段階で電子デバイス４０のメモリ１６に組み込まれる。したがって、各電子デバイス４０は個別であり、暗号化キーとして一意の乱数キューを有する。サーバ構成１１は、個別の電子デバイス４０およびそれらの中のそれぞれの暗号化キー６６に関する情報を有する。暗号化測定データ６３は測定手段１５内に存在する。しかしながら、暗号化後は、メモリ内において、当該暗号化測定データが暗号化キー６２の上に有利に格納されるため、外部のパーティは、当該暗号化キー６２なしに当該暗号化測定データ６３を開くことはできない。何らかの理由でサーバ構成１１へのデータ伝送を正常に行えなかった場合、測定データは電子デバイス４０のメモリ１６内に存在し、暗号化測定データ６３がＱＲコード２４に基づいてサーバ構成１１に送信されるまで、読み取ることができない。
【００６９】
ブロック６５は、暗号化キー６６を用いたデータの復号化を示す。これはサーバ構成１１によって行われる。各電子デバイス４０の暗号化キー６６はサーバ構成１１に格納することができるため、サーバ構成１１に送信された暗号化データ６７は、ＸＯＲオペレーションによって元の測定データ６８に復号することができる。さらに、暗号化によって、モニタリングオブジェクトまたは製品３１の認証も可能になる。言い換えれば、特定の電子デバイス４０から、対象の電子デバイス４０に設定された暗号化キーで定義された特定の数値領域のデータが提供される必要がある。暗号化測定データは、認証を行うための符号ビットを含んでもよい。例えば、暗号化測定データが８ビットである場合、７ビットは暗号化測定データであり、１ビットは暗号化キー内の対応の位置から取得された文字ビットである。サーバは、当該位置にどの文字ビットがあるかを把握しているため、暗号化測定データの発生元（すなわち、当該データが正しい電子デバイス４０からのものであること）を確認することができる。したがって、モニタリングオブジェクト３１は、暗号化に基づいて確認されるように構成することもできる。ＸＯＲ暗号化は、複雑なコンピューティングまたは暗号化アルゴリズムを必要としない。ＸＯＲ暗号化は、軽いプロセッサ実装を利用して実現することができ、軽いデータ処理要件で実装される。さらに別の利点は、暗号化アルゴリズムが存在しないため、暗号化アルゴリズム自体を暗号化する必要がない点である。ある電子デバイス４０からの暗号化キーまたは測定データの漏洩は、他の電子デバイス４０の測定データを開くのに有効ではない。
【００７０】
図８ａ〜８ｃは、例えば、出力デバイス１４’の可能な実装、およびオブジェクトのモニタリングの実装に関するさらに別の実施形態の例を示す図である。ここで、実施形態の例は、冷蔵貨物３１である。一実施形態によれば、出力デバイス１４’は、ワンユースの印刷用であってもよい。その場合、貨物３１の受取人のためにクリアテキスト文書を印刷することができ、これは、例えば、貨物３１の経路および温度の履歴などの情報を示し、および／または当該貨物が正当な発生元からの製品であることを確認する。ここで、出力デバイス１４’は、紙または同様のワンユースの印刷手段となるように構成され、その上に、例えば、物理的（例えば、マトリクスまたは熱）、化学的、および／または電気的効果を有する情報によって、外部デバイス３０および／またはオブジェクト２０．１、２０．２で形成されたおよび／または処理された測定データ１９を、形成することができる。感熱紙などのシングルユースの出力手段は、例えばモニタリング終了時に、モニタリングオブジェクト２０．１から取り外すことができることが好ましい。ここでも、ＱＲコード２４は最初にモバイルフォンを用いて読み取られてサーバ構成１１に送信され、サーバ構成１１は、データが真正のものであることを貨物３１の受取人に確認する。
【００７１】
図８ａではパッケージ３１が輸送されており、その間、出力デバイス１４’がパッケージ上に配置されていれば、当該出力デバイス１４’はパッシブ状態である。その後、表示するデータを空にすることができる。しかしながら、パッケージ３１およびその環境（温度）に関する測定は、輸送中の全期間を通して行われ、パッケージ３１に関連付けて配置された形成手段１８．１（図３ａ）を用いて、外部デバイス３０のメモリ４９に格納される。
【００７２】
図８ｂでは、パッケージ３１が受取人の元に到着する。受取人は、例えば、自身のモバイルデバイスのフラッシュまたは他の何らかの光信号を用いて、例えば、出力デバイス１４’がパッケージ３１に配置されている場合には、当該出力デバイス１４’に組み込まれた感光性センサ２７を介して励起を生成することができる。当該励起の結果として、ＱＲコード２４（一般的にはコード１２）が、出力デバイス１４’上に現れ、モバイルデバイスによって読み取られ、さらに、例えばその瞬時的な温度値も読み取られる。上述のように、受取人は、モバイルデバイスでＱＲコード２４を読み取ることで、パッケージ３１に対応するＱＲコード２４に含まれる履歴データを確認することができる。そして、ＱＲコード２４に含まれる、例えば暗号化された測定データ１９を、サーバ構成１１に宛てたＱＲコード２４から決定されるウェブアドレスに送信する。サーバ構成１１は、ＱＲコード２４に含まれた測定データ１９をクリアテキストに復号してモバイルデバイスに返すことで、同時に、出力デバイス１４’上に表示されたデータおよびパッケージ３１の出所を概ね確認する。
【００７３】
図８ｃによれば、出力デバイス１４’は、パッケージ３１から取り外すこともできる。この場合、受取人は、例えば、自身のアーカイブ要件のために、自身でそれを取得する。このように、この実施形態で説明した可能な出力デバイス１４’は、シングルユースであり、非常に安価で、大量生産に適した製品である。
【００７４】
シングルユースの出力デバイス１４’は、例えば、そのＱＲコード２４を、１回または複数回描画することができる（すなわち、１つ以上のバッチで安価に印刷することができる）。次に、ＱＲコード２４を出力デバイス１４’の一部に最初に描画することができ、そして、ＱＲコード２４用に指定された出力デバイス１４’の領域の他の部分は空のままである。データは後からＱＲコード２４に追加することができる（すなわち、空の領域を充填することができる）。したがって、視覚的コード２４の様々な部分は、ＱＲコードのエラー訂正アルゴリズムを同時に利用することで埋めることができる。読み取りデバイス１３．１、１３．２は、上述の方法で更新および完成されるコード２４を読み取る際に、これを考慮に入れることができる。
【００７５】
図８ｄ〜８ｆは、データ伝送システム１０の実装に関する第２の実施形態の例を示す図である。ここで、デバイス５０、例えば周波数変換器は、測定のみを実行するように構成された外部デバイス３０、またはデータ伝送を可能にし、外部デバイス３０とみなすこともできる接触モジュールを備えることができる（図８ｄ）。測定データ１９’、および例えば他の状態データは、電子デバイス４０を用いて、デバイス５０のライフサイクルのすべての任意の段階において、デバイス５０から読み取ることができる。電子デバイス４０は、デバイス５０に近接させるか、あるいは、当該デバイス５０上の、外部デバイス３０に関連付けて配置された位置５５（図８ｅ）に取り付けられる。電子デバイス４０は、着脱可能なクイックリリース留め具を用いて位置５５に取り付けることができる。この目的のために、位置５５は、クイックリリース手段４１として機能する、電子デバイス４０用の形状係止コネクタ構成５５’を有することができる。したがって、電子デバイス４０は、例えばつまむことで、所定の位置５５に設置することができる。位置５５は、例えば、その端部に窪みを有してもよい。これにより、工具を用いずとも、指の力によって電子デバイス４０を位置５５から取り外すことができる（図８ｆ）。さらに、アンテナ４４．１、４４．２は、データ伝送に関して標準化され、かつ互換性を有するように、相互に対して構成することができる。
【００７６】
位置５５は、例えば、プレートなどのベース５８上に形成することができ、プレートに設けられた窪みが位置５５を形成する。コネクタ構成５５’は、窪みの端部に形成された突起であり、電子デバイス４０は、形状係止によって着脱可能に取り付けられる。ここで、ベース５８は、測定／データ伝送を外部デバイス３０／オブジェクト２０．２に構成するための電子デバイス４０用の設置アダプタを形成する。一方で、ベース５８は、デバイス５０の筐体に取り付けられ、この中に、デバイス５０自体のデータ伝送インタフェースが存在し得る。
【００７７】
したがって、オブジェクト２０．２は、例えば、測定データ１９’のその部分について読み取ることができる。あるいは、任意の電子デバイス４０によって、データをオブジェクト２０．２に送信することもできる。一方で、１つの電子デバイス４０を用いて、任意の外部デバイス３０を備えた他の任意のオブジェクト（図１のオブジェクト２０．２）を読み取ることができる。したがって、デバイス３０および４０は交換可能である。その場合、外部デバイス３０は、非常にシンプルな、大量生産された測定センサまたはデータ伝送モジュールであってもよい。この中に、測定を実行し、測定データを格納し、および／または所定のプロトコルによって電子デバイス４０および／またはオブジェクト２０．１、２０．２へのデータ伝送を行うための機能およびプロパティが存在する。このシンプルさにもかかわらず、測定データ１９’を、そのような外部デバイス３０から容易に取得して、本発明に係るサーバ構成１１に送信することができる。これは、電子デバイス４０が、外部デバイス３０の、そして最終的にはオブジェクト２０．１、２０．２の、ユーザインタフェース手段として、使用可能であるためである。したがって、モニタリングオブジェクトごとに発生する１回限りのコストはほぼなく、大量生産された製品の測定の実行と測定データの利用が制限されることもない。例えば、これと比較すると、各オブジェクト２０．１、２０．２は、対応のセンサを備えるとともに出力デバイス１４を有する電子デバイス４０を、恒久的に備える。データを読み取る代わりに、外部デバイス３０および／またはオブジェクト２０．１、２０．２へのデータ伝送が等しく可能であるため、例えば、オブジェクトを制御することが可能である。
【００７８】
本発明によれば、データ伝送は、視覚的コード１２のみを読み取り、次に埋め込まれたＵＲＬリンク６７（図４ａ）を開いて承認することで、主に自動的に、かつ安全に行うことができる。これにより、システム１０をユーザ２９にとって使いやすいものにすることができる。認証に必要な情報が視覚的コード１２内にすでに結合されているため、認証を自動的に行うことも可能である。
【００７９】
また本発明によれば、モニタリングオブジェクト２０．１、２０．２の位置データを、読み取りデバイス１３．１、１３．２によって決定することができる。例えば、図５のステージ５０３の結果として、ユーザ２９がサーバ構成１１のウェブページを読み取りデバイスの１３．１、１３．２のブラウザにダウンロードすると、サーバ構成１１は、例えば、ＨＴＭＬ５ジオロケーションＡＰＩを用いて、ユーザ２９に位置データを要求することができる。これにより、読み取りデバイスとして動作する電話機に追加のソフトウェアをインストールすることなく、読み取りデバイス１３．１、１３．２、およびモニタリングオブジェクト２０．１、２０．２を見つけることができる。ＨＴＭＬ５ジオロケーションＡＰＩは、例えばＧＰＳやその他の測位方法を同様に用いることができる。ユーザ２９が、データの読み取りおよびその後の送信について電話（すなわち、読み取りデバイス１３．１、１３．２）の位置データを共有することも同時に受け入れた場合、電子デバイス４０の位置もサーバ構成１１に格納される。同様に、サーバ構成１１は、電子デバイス４０のスキャン位置を把握しており、マップ上に描画することもできる。
【００８０】
また、双方向データ伝送に関する実施形態として、サーバシステム１１は、外部デバイス３０および／またはオブジェクト２０．１、２０．２のオペレーションを、読み取りデバイス１３．１、１３．２および電子デバイス４０を介して制御することもできる。当然ながら、電子デバイス４０自体を制御することも可能である。したがって、１つ以上のオペレーション（通常は、データ）は、サーバシステム１１から外部デバイス３０および／またはオブジェクト２０．１、２０．２に、読み取りデバイス１３．１、１３．２および電子デバイス４０を介して送信されるように構成される。双方向のデータ伝送を用いて、例えば、サーバ構成１１の制御によって、電子デバイス４０、外部デバイス３０、および／またはオブジェクト２０．１、２０．２が励起される、および／または、出力デバイス１４がコード１２を更新する。この場合、電子デバイス４０および／または外部デバイス３０のクロックが正しい時間を示さなくても、タイムスタンプが結合されたデータを正確に結合することができる。すなわち、問題は、外部デバイス３０のクロックを同期させることである。これによっても、エネルギーを抑えることができる。
【００８１】
また、本発明に係る双方向データ伝送は、電子デバイス４０および／または出力デバイス１４および／または外部デバイス３０および／またはオブジェクト２０．１、２０．２のメモリ１６、４９内の設定および他の値を、サーバ構成１１の制御によって変更することを可能にする。これは、電子デバイス４０および／または外部デバイス３０および／またはオブジェクト２０．１、２０．２のプログラミング／構成（すなわち、例えば、その起動および／または動作に関する設定の変更／設定）についても同様である。
【００８２】
図６は、例えば、それらの起動または再プログラミングに関する、外部デバイス３０および／またはオブジェクト２０．１、２０．２の構成の例を示す。ここでも、サーバ構成１１、電子デバイス４０、外部デバイス３０、およびオブジェクト２０．１、２０．２との間で、読み取りデバイス１３．１、１３．２によって行われる双方向データ伝送が利用される。言い換えれば、ここでは、サーバ構成１１から外部デバイス３０および／またはオブジェクト２０．１、２０．２へのデータ伝送も、電子デバイス４０を介して行われる。図６では、ユーザインタフェースデバイスという語は、電子デバイス４０に用いられる。
【００８３】
外部デバイス３０および／またはオブジェクト２０．１、２０．２のプログラミングが読み取りデバイス１３．１、１３．２および電子デバイス４０を介してサーバ構成１１によって行われる前に、読み取りデバイス１３．１、１３．２は、外部デバイス３０および／またはオブジェクト２０．１、２０．２を、例えばスタートアップや設定の変更に関してプログラミングするようにサーバ構成１１を制御するように、構成される。外部デバイス３０および／またはオブジェクト２０．１、２０．２の設定を決定して、それらを読み取りデバイス１３．１、１３．２を用いてサーバ構成１１に格納することについても同様である。例えば、最初に、ステージ６０１において、モニタリングオブジェクト２０．１、２０．２自体を識別することができる。これには複数の方法がある。例えば、読み取りデバイス１３．１、１３．２を用いて、オブジェクト２０．１、２０．２から、バーコード識別子または他の同様の識別子を読み取ることができる。または、ユーザ２９による読み取りデバイス１３．１、１３．２のオペレーションによって、関連するデータを生成して、ステージ６０２で、オブジェクトの識別データをサーバ構成１１に送信することができる。当然ながら、オブジェクトは、当該オブジェクトに関連付けて配置された電子デバイス４０および／または外部デバイス３０の設定の決定に関してのみ、またはその後の別のオペレーションで、識別することができる。それに接続されることを意図した電子デバイス４０および／または外部デバイス３０のＩＤ識別子またはオブジェクトの運送状も、オブジェクトの識別として同様に機能することができる。オブジェクトを識別した結果として、例えば、特定のモニタリングオブジェクト（例えば、パッケージまたはパレット）を、その中に配置された電子デバイス４０および／または外部デバイス３０にリンクさせることができる。言い換えれば、結果として、サーバ構成１１は、いずれの時点についても、電子デバイス４０によって任意の時点で形成および表示されたコード１２がどのオブジェクトに対応するものであるかを把握している。オブジェクト２０．１、２０．２を識別するさらにシンプルな方法の１つは、外部デバイス３０／オブジェクト２０．１、２０．２がその識別データを電子デバイス４０（ステージ６００）に送信する場合に電子デバイス４０を外部デバイス３０および／またはオブジェクト２０．１、２０．２に関連付けて配置する方法である。次に、読み取りデバイス１３．１、１３．２によって読み取られるＱＲコード２４が、それから形成される。読み取りを行った結果、ウェブサイトが開き、この中で、外部デバイス３０および／またはオブジェクト２０．１、２０．２の設定を行うことができる。
【００８４】
読み取りデバイス１３．１、１３．２を用いて、サーバ構成１１を、外部デバイス３０および／またはオブジェクト２０、１．２０．２のプログラミング、より通常には設定を行うように制御することで、システムの１０ユーザ２９は、例えば、外部デバイス３０および／またはオブジェクト２０．１、２０．２の設定を変更する、または外部デバイス３０に関する任意の情報を変更することができる。当該情報は、例えば、測定を行うのに、および／またはそれから生成されたオブジェクトに関する情報を電子デバイス４０上に表示するのに必要な情報である。設定は、サーバ構成１１によって作成されたウェブページ上で決定することができる。当該ウェブページは、読み取りデバイス１３．１、１３．２のディスプレイ３２上に表示され、この上で行われた設定はサーバ構成１１に格納される。ユーザ２９は、サーバ構成１１によって作成されたウェブページ上で、例えば「オブジェクトを設定」を選択して、ステージ６０３のウェブページから設定を決定することができる。このような設定は、例えば、外部デバイス３０の形成手段１８に関する、測定間隔または他の１つ以上の機器設定であってもよい。しかしながら、本発明は、外部装置３０および／または物体２０．１、２０．２の制御にも等しく関することに留意されたい。当該１つ以上の設定は、オブジェクト２０．１、２０．２をモニタリングする特定の測定なしで、オブジェクト２０．１、２０．２そのもののオペレーションに関連付けることができる。したがって、本発明によれば、オブジェクト２０．１、２０．２に関する設定を変更することも可能である。これは、オブジェクトによって、最も多様性に富むことが考えられる。これに関するアプリケーションを以下に説明する。
【００８５】
他の可能な設定として、例えば、電子デバイス４０およびディスプレイの１４の更新間隔、および／または省電力設定に関する設定が含まれる。もちろん、読み取りデバイス１３．１、１３．２の代わりに、例えば、何らかの外部デバイスから集中的にサーバ構成１１の設定を行うこともできる。ステージ６０４として、例えば、視覚的表現または同様のもの（例えば、ウェブページ上に表示されるウェブコンテンツ）が、サーバ構成１１による設定で生成される。より一般的には、サーバ構成１１は、設定が符号化されたウェブコンテンツ３４を作成して、読み取りデバイス１３．１、１３．２上に示すように構成される。視覚的表現の代わりに、またはそれに加えて、コンテンツ３４は、例えば、音声を含んでもよい。
【００８６】
ステージ６０５では、読み取りデバイス１３．１、１３．２および測定装置３０を、これらのデバイスおよび装置の間でコンテンツデータ伝送（すなわち、プログラミング）が行われるように相互に設定するようにユーザ２９に要求することができる。さらに、ユーザ２９に、サーバ構成１１によって作成されたウェブコンテンツのダウンロードをアクティベートして読み取りデバイス１３．１、１３．２のディスプレイ３２上に当該ウェブコンテンツを表示するように要求することができる。
【００８７】
ユーザ２９がサーバ構成１１上で所望の設定を決定すると、ユーザ２９は、ステージ６０６の結果として、例えば、ステージ６０４で読み取りデバイス１３．１、１３．２上のサーバ構成１１によって生成されたウェブページから、これらの設定を、電子デバイス４０にダウンロードすることができる。これは、例えば、読み取りデバイス１３．１、１３．２のウェブブラウザ３９（図１）を用いて行うことができる読み取りデバイス１３．１、１３．２に他の機器、ケーブル、または特別な特徴やソフトウェアを用いる必要はない）。このように、ステージ６０６および６０７では、サーバ構成１１が、読み取りデバイス１３．１、１３．２にウェブコンテンツ３４を送信する。読み取りデバイス１３．１、１３．２は、この結果としてサーバ構成１１からウェブコンテンツ３４を受信するように構成される。ステージ６０８で、読み取りデバイス１３．１、１３．２は、入力される（すなわち、電子デバイス４０に送信されるとともに、外部デバイス３０および／またはオブジェクト２０．１、２０．２に転送される）ウェブコンテンツ３４の設定を、ディスプレイ３２上に表示するように構成される。したがって、外部デバイス３０および／または読み取りデバイス１３．１、１３．２を介して実行されるように構成されたオブジェクト２０．１、２０．２の設定の実行／変更は、サーバ構成１１から電子デバイス４０において受信した設定を入力することを含み、例えば、視覚的表現または他のコンテンツ３４が、例えば、サーバシステム１１によって生成されたウェブページ上に表示されるように行うことができる。
【００８８】
より具体的には、ステージ６０７で、サーバ構成１１は、ウェブページを読み取りデバイス１３．１、１３．２に送る。この中には、例えば、白黒に点滅する領域などのコンテンツが存在するこのようにサーバ構成１１から電子デバイス４０に送信されるデータは、例えば、異なる長さの白黒の光のフラッシュとして符号化することができる。ユーザが設定を終えると、ステージ６０５の結果として、例えば、電話、ポータブルコンピュータまたはデスクトップＰＣ、一般には読み取りデバイス１３．１、１３．２のディスプレイ３２上のフォトセンサ２７などの、電子デバイス４０の受信手段２７’には、サーバ構成１１によって形成されて読み取りデバイス１３．１、１３．２に送信されるウェブページの点滅領域がある。読み取りデバイス１３．１、１３．２は、ステージ６０８および６０９で、コンテンツを電子デバイス４０に送るため、設定データが電子デバイス４０に送信される。読み取りデバイス１３．１、１３．２のデータ形成手段３２’（すなわち、ディスプレイ３２）は、驚くべきことに、読み取りデバイス１３．１、１３．２を用いて外部デバイス３０および／またはオブジェクト２０．１、２０．２の制御を行うために、電子デバイス４０へのデータ入力手段３２’’としても使用される。より一般的には、読み取りデバイスの１３．１、１３．２データ入力手段３２’’は、例えば、読み取りデバイス１３．１、１３．２のディスプレイ３２など、光を生成するように構成された要素３２＊として動作するように構成される。例えば、読み取りデバイス１３．１、１３．２を構成する音源（例えば、ラウドスピーカー）も、ここで同じ目的に使用することができる。ウェブコンテンツ３４は、例えば、ＹｏｕＴｕｂｅビデオのフォーマットであってもよいし、さらにシンプルには、ウェブページに表示されるシンプルなアニメーションのフォーマットであってもよい。アニメーションは、白黒に点滅するフレームを含むことができる。
【００８９】
ステージ６１０で、電子デバイス４０は、電子デバイス４０を構成する光センサ２７上の点滅光を介してデータを受信する。次に、電子デバイス４０は、そこに配置されたコンテンツ３４から設定を復号し、場合によっては、データ伝送リンク４２を介して外部デバイス３０および／またはオブジェクト２０．１、２０．２に送信するために、メモリ１６に格納する。このように、電子デバイス４０は、読み取りデバイス１３．１、１３．２のディスプレイ３２上に表示されたウェブコンテンツ３４を検出して、当該ウェブコンテンツ３４から外部デバイス３０および／またはオブジェクト２０．１、２０．２に関する設定を復号するように構成される。ステージ６１１で、当該設定は、データ伝送リンク４２を介して、電子デバイス４０から外部デバイス３０および／またはオブジェクト２０．１、２０．２へ送信される。外部デバイス３０および／またはオブジェクト２０．１、２０．２で測定が実行される。外部デバイス３０および／またはオブジェクト２０．１、２０．２のオペレーションは、これらの設定に従って制御される。
【００９０】
言い換えれば、外部デバイス３０に送信するデータは、ウェブから生成することもできるし、電子デバイス４０から直接生成することもできる。ユーザの２９の観点からは、プログラミングした状況が簡素化した形式で実行され、例えば、最初に、電子デバイスの４０の出力デバイス１４上でラジエータの識別を示すＱＲコード２４がスキャンされ、それに埋め込まれたＵＲＬアドレス６７が開かれ、ラジエータの新しい設定が、読み取りデバイス１３．１、１３．２のウェブブラウザ３９上の、当該コンテンツから生成されたウェブページ上で選択される。例えば、新しい設定に関する点滅光が、サーバ構成１１から読み取りデバイス１３．１、１３．２によって受信され、読み取りデバイス１３．１、１３．２から電子デバイス４０に向けて新しい設定の光が点滅し、電子デバイス４０は、データ伝送のためにラジエータ（すなわち、外部デバイス３０）に（未接続の場合には）接続され、ラジエータは、新しい設定に従って構成される。この後、電子デバイス４０は、プログラミングされる次のラジエータに直接接続することができる。次のラジエータは、読み取りデバイス１３．１、１３．２が他に何もしなくても構成することができる。設定の代わりに、より一般的にはデータのみ、この方法で外部デバイス３０／オブジェクト２０．１、２０．２に送信することができる。ここでの設定は、データのアプリケーションの１つの特別な例にすぎない。
【００９１】
このように、外部デバイス３０および／またはオブジェクト２０．１、２０．２は、サーバシステム１１を用いて、例えば、それによって作成されたウェブページの助けを借りて、読み取りデバイス１３．１、１３．２のディスプレイ３２およびフォトセンサ２７を用いて、ウェブページを介して、無線によってかつ容易に構成することができる。フラッシュ光を介して送信するデータは暗号化することもできるため、他のソースやクラウドシステムから誤った設定を行うことはできない。前述の手順により、外部デバイス３０および／またはオブジェクト２０．１、２０．２の設定が非常にシンプルになる。これは、モニタリングオブジェクトや制御オブジェクトが多数存在する場合におけるシステムの使い易さという点において非常に重要である。また、特に外部デバイス３０および／またはオブジェクトのユーザインタフェース手段の場合に、それらの実装を簡素化する。また、外部デバイス３０および／またはオブジェクト２０．１、２０．２のプログラミングを行うために読み取りデバイス１３．１、１３．２に特別なプロパティを求める必要がない。その代わりに、当該システムは、読み取りデバイス１３．１、１３．２の一部において標準のＱＲコード読み取り装置として実装することができ、いくつかのデバイスですでに準備がされている。ＱＲコードの場合、当該機能は、例えば、ｉＰｈｏｎｅデバイスにすでに内蔵されている。
【００９２】
このように電子デバイス４０および／または外部デバイス３０を特定のモニタリングオブジェクト２０．１、２０．２に接続することを可能にすることに加えて、外部デバイス３０および／またはオブジェクト２０．１、２０．２の設定を、例えばこれらのライフサイクルの間に変更するのに用いることもできる。モニタリングアプリケーションでは、例えば、ある輸送モードから別の輸送モード（トラック−＞航空機）に移行する場合に、このような状況が問題になることがある。もちろん、例えばステージ６０１、６０２、および６０３を（部分的に）手順から省略することもできる。これは、モニタリングオブジェクト２０．１、２０．２は事前に電子デバイス４０または外部デバイス３０に紐づけられているためである。
【００９３】
本発明は、例えば、ＱＲコード２４または同様の読み取り可能なコード１２によって定義されたリンクに基づいてユーザ２９の認証を可能にするため、ユーザ２９を特定することはできないが、対象のユーザ２９がモニタリングオブジェクト２０．１、２０．２に物理的に存在しているか、または存在していたことを把握することはできる。そして、ユーザ２９は、読み取りデバイス１３．１、１３．２を用いてＱＲコード２４または同様のコード１２を読み取る。例えば、過去４０分間などの所定の期間の有効な暗号化測定データがある場合、ユーザ認証および承認はこれに基づいて行われる。
【００９４】
例えば、モニタリングオブジェクト２０．１、２０．２の測定データをサーバ構成１１に送信するまたは送信した厳密な時点において（例えば、１分の時間窓内で）ユーザ２９がモニタリングオブジェクト２０．１、２０．２の位置に存在していたか否かを正確に確かめたい場合、ユーザ２９にさらなる認証を要求することができる。これを実装する方法の１つによれば、サーバ構成１１は、上述のように符号化されたウェブコンテンツを形成し、ウェブページ上に表示し、上述の図６のステージ６０６、６０７で示した方法によって、読み取りデバイス１３．１、１３．２のディスプレイ３２を用いて、電子デバイス４０に送信する。ウェブコンテンツは、電子デバイス４０が復号する符号化確認ＩＤであってもよい。次に、この確認ＩＤが暗号化された形式でＱＲコード２４のデータリンクに埋め込まれ、ユーザ２９は、このＱＲコード２４を読み取ることを求められる。
【００９５】
ユーザ２９がＱＲコード２４を再度読み取る場合、読み取りデバイス１３．１、１３．２は、確認ＩＤまたはそれに埋め込まれた同様のものをサーバ構成１１に送る。このため、サーバ構成１１は、対象のユーザ２９が実際に、例えば数秒前に、オブジェクト２０．１、２０．２に存在していたこと、そして電子デバイス４０にも物理的に存在していたことを確認することができる。確認ＩＤを電子デバイス４０に送信するのと同時に、他のメタデータも電子デバイス４０に送信することができる。本実施形態の利点として、オブジェクト２０．１、２０．２がすでに通過したにも関わらず、ユーザ２９がＱＲコード２４によって定義されたリンクを再び開くのを防止することができる。例えば、ユーザ２９の確認後、例えば、オブジェクト２０．１、２０．２に関するコンテキストデータ３３をユーザ２９に送信することができる。このように、読み取りデバイス１３．１、１３．２を用いて、追加のプロパティを必要とすることなく、認証を実装することもできる。
【００９６】
例えば、物流チェーンにおいてデリバリサイクルが比較的短い大量生産製品などに特に適した低消費電力の機械読み取り可能なコードは、以下のように作成することもできる。図９ａに示す第１の実施形態によれば、キャラクターディスプレイ１２’を用いることができる。これは、例えば、ＱＲコード２４の主要部を１ビットで示すように構成される。さらに、ＱＲコード２４には、送信するデータ（例えば、温度が所定の制限内に維持されているか否かを示すデータ）を示すために配置された少なくとも１データピクセルの領域１２’’が埋め込まれる。ＱＲコード２４の代わりに、例えば、Ａｚｔｅｃコードなどの規格に準拠した二次元コードも、静的領域１２’と、可変データを含む領域１２’’とを作成するのに、同様に用いることができる。
【００９７】
図９ｂに示す第２の実施形態によれば、出力デバイス１４上に表示されるＱＲコード２４の大部分は、予め印刷されたパターン１２’’’である。さらに、ＱＲコード２４は、その中心に、少なくとも１データピクセルで形成されるデータ転送用のデータ領域１２’’を有する。予め印刷されたパターン１２’’’は、例えば、サーバアドレス６７の大部分または全体、あるいは他の同様の固定の情報を表してもよい。予め印刷されたパターン１２’’’は、例えば、１回目の読み取りで読み取って決定することができる。１回目の読み取りで、サーバアドレス６７と一緒にまたは別々に読み取り、別の２回目の読み取りで、データ領域１２’’の中央にある、少なくとも１ピクセルのＱＲコード２４のデータピクセルを読み取る。ここで、または上述の実施形態では、可変データ領域１２’’は、例えば、ＬＣＤディスプレイなどを用いて実装することができる。
【００９８】
図１１は、可変データ領域１２’’を実現する方法の一例を示し、これは、別の場合では、固定的に実現されるＱＲコード２４である。データ領域１２’’は、例えば３×３のマトリクス形式でデータが配置される、小さなＬＣＤディスプレイ３６を使用して形成される。データ領域１２’’は、ＬＣＤディスプレイ３６への制御ラインｃｌ〜ｃ９が導出するコントローラ３５によって制御される。次に、コントローラ３５は、例えば、ＣＰＵ２１’を使用して制御される（図２）。ＬＣＤディスプレイ３６上に表示されるパターンの要素数は、必要に応じて変更することができる。例えば、１６個まで増やしたり、４個のみにしたりすることもできる。コントローラ３５内においてパターン１２、１２’’の要素ごとに１つの制御ピンを備えることができるため、コントローラ３５は、それぞれピンを介して直接制御するように構成される。このように、各ピクセルは、所望の情報を示すために、互いに独立してコントローラ３５によって個別に制御することができる。例えば、ディスプレイに１６個のセグメントがある場合、１６進制御を利用して、直接ディスプレイを制御することができる。セグメントの数は異なってもよい。例えば、２＾２、２＾４、２＾６であり、より一般的には２＾ｘであり、ｘ＝１−８である。このように、モニタリングオブジェクトの状態データは可変データであり、ＬＣＤディスプレイ３６によって形成される動的データ領域１２’’に表示され、コントローラ３５によって、ピクセルごとに変化するデータに基づいて制御されるように構成される。
【００９９】
これに関連する、データ収集を実装する一方法は、例えば、測定を開始する際にコード１２から読み取りを行う方法、またはサーバに格納するために送信される測定基準点（例えば、温度）を格納する方法である。温度には、制限値を設定してもよい。そして、モニタリング中、基準値に対する温度の偏差のみが格納され、最後に、当該偏差が所定の制限値内に留まったか否かが示される。別の可能性として、例えば、最初と最後の読み取り値、最大値／最小値、および／または標準偏差などに基づいて、温度測定の角度係数を格納する方法がある。
【０１００】
上述の実施形態では、ディスプレイコントローラ２３が、キャラクターディスプレイ１２’をＱＲコード２４に形成するように構成されるか、あるいは、ディスプレイが、例えば、予めインクで印刷された静的パターン１２’’’を含むように構成される。これらはいずれも、例えばサーバのアドレス６７を特定することができる。より一般的には、機械読み取り可能なコード１２は、その大部分がコード１２で形成される静的部分１２’、１２’’’を構成するように生成される。これは、電子デバイス４０を構成するディスプレイコントローラ２３を使用して形成される、または、特に測定データ１９または同様の可変データ用に配置される印刷可変部１２’’として配置された物理データキャリアとして構成される。
【０１０１】
本発明は、例えば、食品産業用途において特に有用である。各製品パッケージに、工場から店舗、そして消費者へと移動する最中に測定を行う測定装置３０を、工場で装着することができる。この非常にシンプルで安価な実装を用いて、例えば、製品のエンドユーザに、コールドチェーンの切れ目や製品の出所を確認することができる。個々の製品の測定を設定したとしても、価格に大幅な影響はない。
【０１０２】
システム１０以外にも、本発明は、上述したシステム１０および／または電子デバイス４０を用いて行う、オブジェクト２０．１、２０．２のモニタリングにも関する。オブジェクト２０．１、２０．２は、固定することもできるし、移動することもできる。移動するモニタリングオブジェクトの非常に典型的な例は、物流関連の物品、輸送物品、またはこれらを含んでなる搬送ユニットである。モニタリングする変数は、例えば、温度、湿気、圧力、明るさ、位置、ＶＯＣ、ラドン、ｐＨなど任意の変数またはそれから算出したものであってもよい。より具体的には、変数は、変化する可能性があるものであってもよい。この例の１つとして、冷蔵輸送装置が挙げられる。
【０１０３】
最後に、本発明の実際のアプリケーションの複数の例を示す。
【０１０４】
耐久消費財／ラジエータ：
電子デバイス４０と外部デバイス３０とを用いて実装された熱ラジエータの制御／モニタリングに要する資金投入は僅かなものであるため、すべての製品に導入することができる（ベーシックモデルとプロフェッショナルモデルとを別々に格納する必要はない）。本発明は、データ収集および双方向データ伝送を可能にし、設定をラジエータに容易に送信することを可能にする。ラジエータは、メーカーのウェブサイトで、直接スマートデバイス１３．１、１３．２を使用して設定することができる（ＱＲをスキャンする−＞リンクを開く−＞新しい設定を選択する−＞スマートデバイス１３．１、１３．２の点滅ディスプレイ３２をタグ４０に示す）。
【０１０５】
製造業者は、顧客向けのコンテンツ（マーケティング、追加販売、リコール、情報、マニュアルなど）を自社のウェブサイトで作成することもできる。
【０１０６】
産業用電子機器／周波数変換器：
周波数変換器の設定の変更はほぼ必要ないが、パラメータ化を行う必要がある場合には、複雑である。必要性は明確ではない（ランプアップ／ダウン、論理ＩＯなど）。多くの設定があり、かつ複雑であるため、エラーが発生しやすい。複数のボタンと小さなディスプレイを備えたシンプルなユーザインタフェースを用いて複雑な設定を行うことは困難である。非常に包括的でありかつ効率的に製造することのできるユーザインタフェースが求められている。また、本発明は、少なくともデータ伝送手段５１と周波数変換器へのインタフェースとを有する読み取りデバイス１３．１、１３．２、電子デバイス４０および外部デバイス３０によって、周波数変換器などを容易に制御することを可能にする（これらが周波数変換器にすでに組み込まれている場合を除く）。
【０１０７】
航空／ドローン／機内食：
フライト中、乗客には食べ物や飲み物が提供され、これらは温度をモニタリングする必要がある。航空機への無線機器の持ち込みは非常に厳しく制限されている。厳しい航空無線規制は、電子デバイス４０および外部デバイスによって実装されるシステムによって満たすことができる。それにもかかわらず、低電力電子デバイス４０（少量のリチウム小型バッテリ）は、例えば、食品の温度のモニタリングなどについて、飛行中であってもＩｏＴの利点をもたらすことができる。エコシステムは飛行中でも常に使用可能である。また、ケータリング機器の製造業者は、本発明に係るシステム１０の航空使用についての認可を得る必要はない。これは、当該システム１０は干渉となる無線信号を発生させないためである。
【０１０８】
ＨＶＡＣ−水道メータ／エネルギーメータ／建築サービス電子デバイス／スマート水道メータ：
例えば、集合住宅の区画では、水道メータは住民自身によって読み取られ、読み取りの結果は、紙、電子メール、または電子システムによって水道事業者（フィンランドでは、住宅管理会社）に通知される。しかし、このような読み取りを行う人間が意図的または無意識に誤った読み取り結果を通知することが考えられる。スマート水道メータはシステム１０と互換性があり、必要に応じて、測定をより迅速、簡単、完全かつ確実に通知することができる。ＱＲコード２４では、水道の読み取り結果は暗号化され、タイムスタンプが付される。ＱＲコード２４をスキャンすることで、データがシステム１０に移動し、水道事業者のインタフェースで利用可能となる。同時に、水道事業者は、例えばマーケティングを目的として、読み取り装置１３．１、１３．２に開かれたウェブビューを利用することができる。
【０１０９】
上記の説明および関連する図面は、本発明を例示することのみを目的としていることが理解されるものとする。したがって、本発明は、上の説明または特許請求の範囲に記載の実施形態に限定されず、添付の特許請求の範囲に記載された発明の思想の範囲内において、本発明の多くの異なる変形および修正が可能であることは、当業者には明らかである。
【符号の説明】
【０１１０】
１０  システム
１１  サーバ構成
１２  コード
１２’  ディスプレイ
１２’’  領域
１２’’’  パターン
１３．１、１３．２  読み取りデバイス
１４、１４’  出力デバイス
１５  データバス
１６  メモリ
１７、１７．１  電源
１７．２  エネルギーハーベスタ
１８  マイクロコントローラ
１８  形成手段
１８’  ピン
１８’’  内蔵可能な温度センサ
１８．１  センサ
１８．３  データ変換器
１９  データ
１９’  測定データ
２０．１、２０．２  オブジェクト
２１  プロセッサ手段
２１’  プロセッサ
２２  プロセッサカード
２３  ディスプレイコントローラ
２４  ＱＲコード
２６  可視警告サイン
２７  光センサ
２７’  受信手段
２９  ユーザ
３０  外部デバイス
３１  貨物
３２  ディスプレイ
３３  コンテキストデータ
３４  コンテンツ
３５  コントローラ
３６  ＬＣＤディスプレイ
３８  回路カード
３７  リボンコネクタ
４０  測定装置
４１  クイックリリース手段
４２  データ伝送リンク
４３  データ伝送インタフェース、受信部
４４．１  アンテナ
４４．２  アンテナ
４４  アンテナ配列  
４５  コントローラ
４５’  ＮＦＣコントローラ
４６  接着面
４７  プロセッサ手段
４８  手段
４９  メモリ
５０  アプリケーションデバイス
５１  無線データ伝送手段
５２  コントローラ回路
５３  自己接着ストリップ
５４  手段
５５  位置
５５’  コネクタ構成
５６  機能
５７  インタフェース
５８  ベース
６１  ブロック
６２  暗号化キー
６３  データ
６５  ブロック
６６  暗号化キー
６７  暗号化データ、インターネットアドレス、ウェブリンク
４０１  ステージ
４０２  ステージ
４０３  ステージ
４０４  ステージ
４０５  ステージ
４０６  ステージ
４０７  ステージ
４０８  ステージ
４０９  ステージ
５０１  ステージ
５０２  ステージ
５０３  ステージ
５０５  プロセス
５０６  ステージ
５０７  ステージ
５０８  ステージ
５０９  ステージ
５１０  ステージ
５１１  ステージ
６００  ステージ
６０１  ステージ
６０２  ステージ
６０３  ステージ
６０４  ステージ
６０５  ステージ
６０６  ステージ
６０７  ステージ
６０８  ステージ
６０９  ステージ
６１０  ステージ
６１１  ステージ
ｃｌ〜ｃ９  制御ライン
【図１】
2021524110.tif 000003
【図２】
2021524110.tif 000004
【図３ａ】
2021524110.tif 000005
【図３ｂ】
2021524110.tif 000006
【図３ｃ】
2021524110.tif 000007
【図３ｄ】
2021524110.tif 000008
【図３ｅ】
2021524110.tif 000009
【図４ａ】
2021524110.tif 000010
【図４ｂ】
2021524110.tif 000011
【図５】
2021524110.tif 000012
【図６】
2021524110.tif 000013
【図７】
2021524110.tif 000014
【図８ａ】
2021524110.tif 000015
【図８ｂ】
2021524110.tif 000016
【図８ｃ】
2021524110.tif 000017
【図８ｄ】
2021524110.tif 000018
【図８ｅ】
2021524110.tif 000019
【図８ｆ】
2021524110.tif 000020
【図９ａ】
2021524110.tif 000021
【図９ｂ】
2021524110.tif 000022
【図１０ａ】
2021524110.tif 000023
【図１０ｂ】
2021524110.tif 000024
【図１１】
2021524110.tif 000025
【図１２ａ】
2021524110.tif 000026
【図１２ｂ】
2021524110.tif 000027
【手続補正書】
【提出日】令和2年8月18日(2020.8.18)
【手続補正１】
【補正対象書類名】特許請求の範囲
【補正対象項目名】全文
【補正方法】変更
【補正の内容】
【特許請求の範囲】
【請求項１】
データ（１９）を格納するためのメモリ（１６）と、
前記データ（１９）を処理するためのプロセッサ手段（２１）と、
読み取りデバイス（１３．１、１３．２）を用いて読み取る前記データ（１９）を含む機械読み取り可能なコード（１２）を表示するための出力デバイス（１４、１４’）と、
１つ以上の外部デバイス（３０）との双方向データ伝送リンク（４２）を形成し、前記電子デバイス（４０）が前記外部デバイスに配置され、ユーザインタフェースとして動作するためのデータ伝送インタフェース（４３）を含む電子デバイスであり、
受信手段（２７’）は、前記読み取りデバイス（１３．１、１３．２）から前記外部デバイス（３０）への前記双方向データ伝送のために前記電子デバイス（４０）に関連付けて配置され、前記電子デバイス（４０）は、前記読み取りデバイス（１３．１、１３．２）から前記電子デバイス（４０）に供給されるコンテンツ（３４）を検出し、
前記外部デバイス（３０）の設定および／またはデータを前記コンテンツ（３４）から復号する（６０９）ように構成される、
ことを特徴とする電子デバイス。
【請求項２】
前記データ伝送インタフェース（４３）は無線であって、
アンテナ配列（４４）と、
前記外部デバイス（３０）との無線データ伝送リンク（４２）を形成するように構成された少なくとも１つのコントローラ（４５）と、を含む、
請求項１に記載の電子デバイス。
【請求項３】
前記データ伝送インタフェース（４３）を介して前記外部デバイス（３０）に対して形成される前記データ伝送リンク（４２）は、
前記外部デバイス（３０）からデータ（１９）を取得すること、
前記外部デバイス（３０）を励起すること、
前記外部デバイス（３０）のクロックを同期させること、
前記外部デバイス（３０）の設定を行うおよび／または変更すること、および
前記外部デバイス（３０）にデータを送信すること、
のうちの１つ以上を前記電子デバイス（４０）の前記プロセッサ手段（２１）によって行うように構成される、
請求項１に記載の電子デバイス。
【請求項４】
前記電子デバイス（４０）は、さらに、データ伝送リンク（４２）を形成する１つ以上の外部デバイス（３０）を前記電子デバイス（４０）に接続するクイックリリース手段（４１）を含む、
請求項１から３のいずれか一項に記載の電子デバイス。
【請求項５】
前記電子デバイス（４０）は、さらに、データ伝送リンク（４２）を形成する１つ以上の外部デバイス（３０）を前記電子デバイス（４０）に接続するクイックリリース手段（４１）を含み、前記クイックリリース手段（４１）は、前記電子デバイス（４０）のアンテナ配列（４４）に関連付けて配置される、
請求項２から４のいずれか一項に記載の電子デバイス。
【請求項６】
前記クイックリリース手段（４１）は、前記電子デバイス（４０）に取り付けられる接着面（４６）、または形状係止コネクタ構成を実装するように構成された箇所（５５）を含む、
請求項４または５に記載の電子デバイス。
【請求項７】
前記無線データ伝送インタフェース（４３）は、誘導または容量結合を用いて実装される、
請求項２から６のいずれか一項に記載の電子デバイス。
【請求項８】
前記データ伝送インタフェース（４３）は、前記外部デバイス（３０）に電力を供給するように構成される、
請求項１から７のいずれか一項に記載の電子デバイス。
【請求項９】
前記データ伝送インタフェース（４３）は、前記電子デバイス（４０）が前記外部デバイス（３０）から電力を受けるように構成される、
請求項１から８のいずれか一項に記載の電子デバイス。
【請求項１０】
前記データ伝送インタフェース（４３）は、誘導結合を用いて実装され、前記コントローラ（４５）は、好ましくはＮＦＣコントローラ（４５’）である、
請求項２から９のいずれか一項に記載の電子デバイス。
【請求項１１】
前記出力デバイス（１４、１４’）は、好ましくは１つ以上のバッチでプリントアウト可能なダイナミック電子ペーパーディスプレイまたはシングルユース手段である、
請求項１から１０のいずれか一項に記載の電子デバイス。
【請求項１２】
前記電子デバイス（４０）は、例えば、シングルユースの符号化キー（６２）を用いるＸＯＲ符号化方法などの低電力符号化方法を用いてデータ（１９）を符号化するように構成される、
請求項１から１1のいずれか一項に記載の電子デバイス。
【請求項１３】
オブジェクト（２０．１、２０．２）に関連付けて配置することができ、システム（１０）内に配置することができる１つ以上の電子デバイス（４０）を含むデータ伝送システムであって、前記電子デバイス（４０）は、
データ（１９）用に配置されたメモリ（１６）と、
前記データ（１９）を処理するためのプロセッサ手段（２１）と、
前記データ（１９）を含むおよび／または前記データ（１９）から形成された機械読み取り可能なコード（１２）を、前記読み取りデバイス（１３．１、１３．２）を用いて読み取るために表示する出力デバイス（１４、１４’）と、
１つ以上の外部デバイス（３０）との双方向データ伝送リンク（４２）を形成し、前記電子デバイス（４０）が前記外部デバイスに配置され、ユーザインタフェースとして動作するためのデータ伝送インタフェース（４３）を含む電子デバイスであり、
前記データ伝送システムは、更に、
前記読み取りデバイス（１３．１、１３．２）とのデータ伝送用に構成されたサーバ構成（１１）と、
前記オブジェクト（２０．１、２０．２）を構成する、または前記オブジェクト（２０．１、２０．２）内に配置可能な、少なくとも１つの外部デバイス（３０）であって、前記電子デバイス（４０）が、前記外部デバイス（３０）を介して前記オブジェクト（２０．１、２０．２）との双方向データ伝送リンク（４２）に配置される前記外部デバイス（３０）、
を含み、
サーバ構成（１１）と前記外部デバイス（３０）との間に双方向のデータ伝送が設定され、前記データ伝送が前記読み取りデバイス（１３．１、１３．２）と前記電子デバイス（４０）とを介して行われ、
例えば、前記オブジェクト（２０．１、２０．２）および／または前記外部デバイス（３０）の制御を行うために、受信手段（２７’）が、前記サーバ構成（１１）から前記オブジェクト（２０．１、２０．２）へ前記読み取りデバイス（１３．１、１３．２）と前記電子デバイス（４０）とを介して双方向のデータ伝送を行う前記電子デバイス（４０）に関連付けて配置され、
前記双方向のデータ伝送を、例えば前記読み取りデバイス（１３．１、１３．２）を用いて、前記電子デバイス（４０）を介して行う制御に関して行うために、データ供給手段（３２”）が、前記読み取りデバイス（１３．１、１３．２）に関連付けて配置される、
ことを特徴とするデータ伝送システム。
【請求項１４】
前記サーバ構成（１１）のアドレス（６７）は機械読み取り可能なコード（１２）内に配置される、
請求項１３に記載のシステム。
【請求項１５】
例えば前記外部デバイス（３０）のオペレーションの制御に関するデータが、読み取りデバイス（１３．１、１３．２）と前記電子デバイス（４０）とを介して、前記サーバシステム（１１）から前記外部デバイス（３０）に送信されるように構成され、
前記オブジェクト（２０．１、２０．２）および／または前記外部デバイス（３０）からデータ（１９）を取得する要求、
前記オブジェクト（２０．１、２０．２）および／または前記外部デバイス（３０）の励起、
前記オブジェクト（２０．１、２０．２）および／または前記外部デバイス（３０）のクロックの同期、
前記オブジェクト（２０．２）および／または前記外部デバイス（３０）の設定のスタートアップおよび／または変更に関連付けられた、前記オブジェクト（２０．２）および／または前記外部デバイス（３０）の設定、および
データ、
のうちの１つ以上が前記サーバ構成（１１）から前記外部デバイス（３０）に送信されるように構成される、
請求項１３に記載のシステム。
【請求項１６】
前記オブジェクト（２０．１、２０．２）および／または前記外部デバイス（３０）に関する設定を行うために前記オブジェクト（２０．１、２０．２）および／または前記外部デバイス（３０）にデータ伝送を行う場合、前記サーバシステム（１１）は、例えば設定などの前記データが符号化された、前記読み取りデバイス（１３．１、１３．２）上に表示するウェブコンテンツ（３４）を形成する（６０４）ように構成され、
前記読み取りデバイス（１３．１、１３．２）は、前記サーバ構成（１１）から前記ウェブコンテンツ（３４）を受信（６０７）し、例えば前記電子デバイス（４０）に送信する設定などのデータを表示する（６０８）ように構成され、
前記電子デバイス（４０）は、前記ウェブコンテンツ（３４）を検出し、例えば設定などの前記データを前記ウェブコンテンツ（３４）から復号する（６０９）ように構成され、
前記電子デバイス（４０）は、例えば前記オブジェクト（２０．１、２０．２）および／または前記外部デバイス（３０）のモニタリングおよび／または制御のために、例えば設定などの前記データを前記外部デバイス（３０）に送信するように構成される、
請求項１５に記載のシステム。
【請求項１７】
前記サーバ構成（１１）から前記外部デバイス（３０）および／またはオブジェクト（２０．１、２０．２）へ前記データ伝送が行われる前に、例えば１つ以上のオブジェクト（２０．１、２０．２）および／または前記外部デバイス（３０）を、前記読み取りデバイス（１３．１、１３．２）および電子デバイス（４０）を介して、前記サーバ構成（１１）を用いて制御するために、例えば前記オブジェクト（２０．１、２０．２）および／または前記外部デバイス（３０）の設定などに関する前記送信するデータが、前記読み取りデバイス（１３．１、１３．２）によって、前記サーバ構成（１１）に対して、好ましくは前記サーバ構成（１１）によって生成されたウェブページを介して、少なくとも１回決定される（６０３）ように構成される、
請求項１5または１６に記載のシステム。
【請求項１８】
例えば前記読み取りデバイス（１３．１、１３．２）のディスプレイ（３２）などの、光を生成するように構成された要素（３２＊）が、前記読み取りデバイス（１３．１、１３．２）のデータ供給手段（３２’’）として動作するように構成される、
請求項１３に記載のシステム。
【請求項１９】
前記外部デバイス（３０）および／またはオブジェクト（２０．１、２０．２）からデータ（１９）を取得するなどのデータ伝送を行う要求が、前記読み取りデバイス（１３．１、１３．２）によって読み取られた機械読み取り可能なコード（１２）と、前記コード（１２）に基づいて行われた送信とに応答して形成および送信される、
請求項１３から１８のいずれか一項に記載のシステム。
【請求項２０】
前記サーバ構成（１１）は、例えば前記外部デバイス（３０）および／またはオブジェクト（２０．１、２０．２）からデータ（１９）を取得するなどのデータ伝送を行う必要性を、前記読み取りデバイス（１３．１、１３．２）によって読み取られた機械読み取り可能なコード（１２）に基づいて判断するように構成される、
請求項１３から１９のいずれか一項に記載のシステム。
【請求項２１】
読み取りデバイス（１３．１、１３．２）は、モバイルデバイス、データ伝送手段を備えたカメラ、ＡＲまたはＶＲグラスのうち１つ以上を構成する、
請求項１３から２０のいずれか一項に記載のシステム。
【請求項２２】
前記読み取りデバイス（１３．１、１３．２）の少なくとも一部はデータ形成手段（３２’）を備え、
前記オブジェクト（２０．１、２０．２）に関する、例えば前記読み取りデバイス（１３．１、１３．２）のデータ形成手段（３２’）上に表示されるコンテキストデータ（３３）の少なくとも一部は、好ましくは、前記読み取りデバイス（１３．１、１３．２）によって読み取られた機械読み取り可能なコード（１２）または前記コード（１２）から処理されたデータに基づいて、サーバ構成（１１）によって形成され、前記双方向データ伝送を構成して、前記サーバ構成（１１）から前記読み取りデバイス（１３．１、１３．２）、前記外部デバイス（３０）および／または前記オブジェクト（２０．１、２０．２）に送信されるように設定される、
請求項１３から２１のいずれか一項に記載のシステム。
【請求項２３】
前記外部デバイス（３０）および／または前記オブジェクト（２０．１、２０．２）に対する前記読み取りデバイス（１３．１、１３．２）のユーザ（２９）の存在を認証するために、前記サーバ構成（１１）は、認証ＩＤが符号化された、前記読み取りデバイス（１３．１、１３．２）上に表示されるウェブコンテンツを形成するように構成され、
前記読み取りデバイス（１３．１、１３．２）は、前記サーバ構成（１１）から前記ウェブコンテンツを受信し、前記ウェブコンテンツを示して前記電子デバイス（４０）に認証ＩＤを与えるように構成され、
前記電子デバイス（４０）は、前記ウェブコンテンツを検出し、前記ウェブコンテンツから前記認証ＩＤを復号（６０９）するように構成され、
前記電子デバイス（４０）は、前記認証ＩＤに基づいて機械読み取り可能な前記コード（１２）を更新し、前記出力デバイス（１４、１４’）上に表示するように構成され、
前記読み取りデバイス（１３．１、１３．２）は、前記機械読み取り可能なコード（１２）を読み取り、前記コード（１２）内に配置されたデータを前記サーバ構成（１１）に送信するように構成され、
前記サーバ構成（１１）は、前記外部デバイス（３０）および／または前記オブジェクト（２０．１、２０．２）に対する前記ユーザ（２９）の存在を前記データに基づいて認証するように構成される、
請求項１３から２２のいずれか一項に記載のシステム。
【請求項２４】
前記電子デバイス（４０）の少なくともいくつかが請求項２から１２の1つ以上に記載される電子デバイスである請求項１３から２３のいずれか一項に記載のシステム
【請求項２５】
前記外部デバイス（３０）および／または前記外部デバイス（３０）に接続されたオブジェクト（２０．１、２０．２）をモニタリングするための、請求項１から１２のいずれか一項に記載の電子デバイス（４０）の使用。
【請求項２６】
前記外部デバイス（３０）および／または前記外部デバイス（３０）に接続されたオブジェクト（２０．１、２０．２）のユーザインタフェースとしての、請求項１から１２のいずれか一項に記載の電子デバイス（４０）の使用。
【請求項２７】
前記外部デバイス（３０）および／または前記外部デバイス（３０）に接続されたオブジェクト（２０．１、２０．２）をモニタリングするための、請求項１３から２４のいずれか一項に記載のシステム（１０）の使用。
【請求項２８】
前記外部デバイス（３０）および／または前記外部デバイス（３０）に接続されたオブジェクト（２０．１、２０．２）のユーザインタフェースとしての、請求項１３から２４のいずれか一項に記載のデータ伝送システム（１０）の使用。
【国際調査報告】
2021524110.tif 000028
2021524110.tif 000029
2021524110.tif 000030
2021524110.tif 000031